(57)【要約】  本発明は、送信されるＰＵＣＣＨのタイプに基づいてＰＨＲのタイプを決定することと、ＰＨＲのタイプに基づいて対応する電力ヘッドルームを決定しＰＨＲを報告することを含む、電力ヘッドルーム報告(ＰＨＲ)を報告する方法及びデバイスを提供する。この技術的解決方式を適用することによって、基地局は、電力ヘッドルーム報告を獲得した後に電力ヘッドルーム報告で電力ヘッドルームを獲得し、獲得した電力ヘッドルームに基づいてユーザー装置(ＵＥ)から物理アップリンク制御チャンネル(ＰＵＣＣＨ）を送信するための電力の使用量を認識する。それによって、基地局は、ＰＵＣＣＨを送信するための電力の使用量に基づいてサービングセルの個数とチャンネル状態情報(ＣＳＩ）のフィードバックモードをよく設定し、その間に、基地局は、ハイブリッド自動再送要求確認応答(ＨＡＲＱ-ＡＣＫ)をバインディングするか否かを決定する。
2020505832.tif 000002
【特許請求の範囲】
【請求項１】
電力ヘッドルーム報告(ＰＨＲ)を報告する方法であって、
送信される物理アップリンク制御チャンネル(ＰＵＣＣＨ）のタイプに基づいて前記ＰＨＲのタイプを決定するステップと、
前記ＰＨＲのタイプに基づいて対応する電力ヘッドルームを決定し、前記ＰＨＲを報告するステップと、
を有することを特徴とする方法。
【請求項２】
前記ＰＵＣＣＨのタイプは第１タイプのＰＵＣＣＨ及び第２タイプのＰＵＣＣＨに分類され、
前記第１タイプのＰＵＣＣＨは少なくとも一つのタイムスロット内の少なくとも一つの直交周波数分割多重化(ＯＦＤＭ)シンボル内に位置し、占有されるＯＦＤＭシンボルの個数は所定個数よりも多く、
前記第２タイプのＰＵＣＣＨは少なくとも一つのタイムスロット内の少なくとも一つのＯＦＤＭシンボル内に位置し、前記占有されるＯＦＤＭシンボルの個数は前記所定個数よりも少ない又は等しいことを特徴とする請求項１に記載の方法。
【請求項３】
前記ＰＨＲのタイプは、ＰＨＲタイプ１、ＰＨＲタイプ２、前記第２タイプのＰＵＣＣＨに対するＰＨＲタイプ１又は前記第２タイプのＰＵＣＣＨに対するＰＨＲタイプ２のうち少なくとも一つを含むことを特徴とする請求項２に記載の方法。
【請求項４】
前記送信されるＰＵＣＣＨのタイプに基づいて前記ＰＨＲのタイプを決定するステップは、
ＰＵＳＣＨ及び前記第１タイプのＰＵＣＣＨが任意のタイムスロット内で同時に送信されるように構成される場合、前記ＰＨＲのタイプが、
前記ＰＨＲタイプ１及び前記ＰＨＲタイプ２、
前記ＰＨＲタイプ１及び前記第２タイプのＰＵＣＣＨに対するＰＨＲタイプ１、または
前記ＰＨＲタイプ１及び前記第２タイプのＰＵＣＣＨに対するＰＨＲタイプ２のうち少なくとも一つの組合せを含むと決定するステップと、
前記ＰＵＳＣＨ及び前記第２タイプのＰＵＣＣＨが任意のタイムスロットで同時に送信されるように構成される場合、前記ＰＨＲのタイプが、
前記ＰＨＲタイプ１及び前記ＰＨＲタイプ２、
前記ＰＨＲタイプ１及び前記第２タイプのＰＵＣＣＨに対するＰＨＲタイプ１、または
前記ＰＨＲタイプ１及び前記第２タイプのＰＵＣＣＨに対するＰＨＲタイプ２のうち少なくとも一つの組合せを含むと決定するステップと、
を有することを特徴とする請求項３に記載の方法。
【請求項５】
前記送信されるＰＵＣＣＨのタイプに基づいて前記ＰＨＲのタイプを決定するステップは、
前記ＰＵＳＣＨと前記第１タイプのＰＵＣＣＨが任意のタイムスロット内で同時に送信され、前記送信されるＰＵＣＣＨのタイプが前記第１タイプのＰＵＣＣＨであり、前記送信される第１タイプのＰＵＣＣＨ及び送信されるＰＵＳＣＨが周波数分割多重化を用いて送信されるように構成されない場合、前記ＰＨＲのタイプを前記ＰＨＲタイプ１として決定するステップを有することを特徴とする請求項３に記載の方法。
【請求項６】
前記ＰＨＲのタイプが前記ＰＨＲタイプ１として決定される場合に前記ＰＨＲのタイプに基づいて前記対応する電力ヘッドルームを決定するステップは、
任意のタイムスロット内で送信される前記ＰＵＳＣＨの状況に基づいて前記任意のタイムスロットでのＰＵＳＣＨの実際の送信電力を決定するステップと、
任意のタイムスロット内で送信される前記ＰＵＳＣＨ及びＰＵＣＣＨの状況に基づいて前記任意のタイムスロットでのＰＵＳＣＨの最大送信電力を決定するステップと、
前記ＰＨＲタイプ１である前記ＰＨＲの決定されたタイプに基づいて、そして前記任意のタイムスロットでのＰＵＳＣＨの実際の送信電力及び前記任意のタイムスロットでＰＵＳＣＨの最大送信電力との組合せで前記対応する電力ヘッドルームを決定するステップと、
を有することを特徴とする請求項４又は請求項５に記載の方法。
【請求項７】
前記ＰＨＲのタイプが前記ＰＨＲタイプ２として決定される場合、前記ＰＨＲのタイプに基づいて前記対応する電力ヘッドルームを決定するステップは、
任意のタイムスロット内で送信される前記ＰＵＳＣＨの状況に基づいて前記任意のタイムスロットでのＰＵＳＣＨの実際の送信電力を決定するステップと、
任意のタイムスロット内で送信される前記第１タイプのＰＵＣＣＨ又は前記第２タイプのＰＵＣＣＨの状況に基づいて前記任意のタイムスロットでの前記第１タイプのＰＵＣＣＨ又は前記第２タイプのＰＵＣＣＨに対応する実際の送信電力を決定するステップと、
任意のタイムスロット内で送信される前記ＰＵＳＣＨ又は前記第１タイプのＰＵＣＣＨの状況に基づいて前記任意のタイムスロットでの最大送信電力又はＰＵＳＣＨの最大送信電力を決定するステップと、
任意のタイムスロット内で送信される前記ＰＵＳＣＨ及び前記第２タイプのＰＵＣＣＨの状況に基づいて前記任意のタイムスロットでの前記最大送信電力又は前記ＰＵＳＣＨの最大送信電力を決定するステップと、
前記ＰＨＲタイプ２として決定される前記ＰＨＲのタイプに基づき、そして前記任意のタイムスロットでのＰＵＳＣＨの実際の送信電力、前記任意のタイムスロットでの第１タイプのＰＵＣＣＨ又は第２タイプのＰＵＳＣＨに対応する実際の送信電力、前記任意のタイムスロットでの最大送信電力又は前記ＰＵＳＣＨの最大送信電力の組合せで前記対応する電力ヘッドルームを決定するステップと、
を有することを特徴とする請求項４又は請求項５に記載の方法。
【請求項８】
任意のタイムスロット内で送信される前記ＰＵＳＣＨ及び前記第１タイプのＰＵＣＣＨの状況に基づいて前記任意のタイムスロットでの前記最大送信電力又は前記ＰＵＳＣＨの最大送信電力を決定するステップは、
前記ＰＵＳＣＨ及び前記第１タイプのＰＵＣＣＨが任意のタイムスロット内で同時に送信される場合、あるいは前記ＰＵＳＣＨのみが任意のタイムスロット内で送信される場合、あるいは前記第１タイプのＰＵＣＣＨのみが任意のタイムスロット内で送信される場合、前記任意のタイムスロットでの前記最大送信電力を決定するステップと、
前記任意のタイムスロット内で前記ＰＵＳＣＨおよび前記第１タイプのＰＵＣＣＨのいずれも送信されない場合、ＭＰＲ＝０、Ａ-ＭＰＲ＝０、Ｐ-ＭＰＲ＝０、ΔＴＣ＝０である場合、前記任意のタイムスロットでのＰＵＳＣＨの最大送信電力を決定するステップと、
を有することを特徴とする請求項７に記載の方法。
【請求項９】
前記任意のタイムスロット内で送信される前記ＰＵＳＣＨ及び前記第２タイプのＰＵＣＣＨの状況に基づいて前記任意のタイムスロットでの最大送信電力又は前記ＰＵＳＣＨの最大送信電力を決定するステップは、
前記ＰＵＳＣＨ及び前記第２タイプのＰＵＣＣＨが任意のタイムスロット内で同時に送信される場合、あるいは前記ＰＵＳＣＨのみが任意のタイムスロット内で送信される場合、あるいは任意のタイムスロット内で前記第２タイプのＰＵＣＣＨのみが送信される場合、前記任意のタイムスロット内での前記最大送信電力を決定するステップと、
ＰＵＳＣＨおよび第２タイプのＰＵＣＣＨのいずれも送信されない場合、ＭＰＲ＝０、Ａ-ＭＰＲ＝０、Ｐ-ＭＰＲ＝０、ΔＴＣ＝０である場合、前記任意のタイムスロットでの前記ＰＵＳＣＨの最大送信電力を決定するステップと、
を有することを特徴とする請求項７に記載の方法。
【請求項１０】
前記ＰＨＲのタイプに基づいて対応する電力ヘッドルームを決定するステップは、
前記送信される第１タイプのＰＵＣＣＨに関して、前記送信されるＰＵＣＣＨのタイプとそれに対応する所定の予約電力に対する制限電力条件に基づいて、任意のタイムスロットでの最大送信電力を前記任意のタイムスロットでの対応する制限電力のない最大送信電力として修正するステップと、
前記任意のタイムスロットでのＰＵＳＣＨの実際の送信電力と前記任意のタイムスロットでの対応する制限電力のない最大送信電力に基づいて、前記送信される第１タイプのＰＵＣＣＨに対する前記ＰＨＲタイプ１の電力ヘッドルームと前記ＰＨＲタイプ２の電力ヘッドルームを決定するステップと、
を有することを特徴とする請求項３に記載の方法。
【請求項１１】
前記ＰＨＲのタイプに基づいて前記対応する電力ヘッドルームを決定するステップは、
前記送信される第２タイプのＰＵＣＣＨに関して、前記送信されるＰＵＣＣＨのタイプとそれに対する対応する制限電力条件に基づいて、前記任意のタイムスロットでの最大送信電力を前記任意のタイムスロットでの対応する制限電力のない最大送信電力と前記任意のタイムスロットでの所定の予約電力との間の最大値として修正するステップと、
前記任意のタイムスロットでのＰＵＳＣＨの実際の送信電力、前記任意のタイムスロットでの対応するタイプＰＵＣＣＨの実際の送信電力、及び前記任意のタイムスロットでの前記対応する制限電力のない最大送信電力と所定の予約電力との間の最大値に基づいて、前記送信される第２タイプのＰＵＣＣＨに対するＰＨＲタイプ１の電力ヘッドルームと前記ＰＨＲタイプ２の電力ヘッドルームを決定するステップと、
を有することを特徴とする請求項３に記載の方法。
【請求項１２】
前記送信される第２タイプのＰＵＣＣＨに関して、前記送信されるＰＵＣＣＨのタイプとそれに対応する制限電力条件に基づいて、前記任意のタイムスロットでの最大送信電力を前記任意のタイムスロットでの対応する制限電力のない最大送信電力と前記任意のタイムスロットでの所定予約電力との間の最大値として修正するステップは、
前記対応する制限電力条件が、電力が制限されているとき、前記送信される第１タイプのＰＵＣＣＨの電力が優先順位を有し、その間に前記送信される第２タイプのＰＵＣＣＨの予約電力が設定されないということである場合、前記任意のタイムスロットでの最大送信電力を前記任意のタイムスロットでの最大送信電力と優先順位を有する前記送信される第１タイプのＰＵＣＣＨの電力との間の差値として修正するステップと、
前記対応する制限条件が、前記電力が制限されているとき、前記送信される第１タイプのＰＵＣＣＨの電力が優先順位を有し、その間に前記送信される第２タイプのＰＵＣＣＨの予約電力が設定されないということである場合、前記任意のタイムスロットでの最大送信電力を前記任意のタイムスロットでの最大送信電力と前記優先順位を有する前記送信される第１タイプのＰＵＣＣＨの電力との間の差値と、前記送信される第２タイプのＰＵＣＣＨの予約電力との間の最大値として修正するステップと、
を有することを特徴とする請求項１１に記載の方法。
【請求項１３】
前記ＰＨＲのタイプが前記第２タイプのＰＵＣＣＨに対するＰＨＲタイプ１として決定される場合に前記ＰＨＲのタイプに基づいて前記対応する電力ヘッドルームを決定するステップは、
前記任意のタイムスロットで送信される第２タイプのＰＵＣＣＨのみの状況に基づいて前記任意のタイムスロットでの前記第２タイプのＰＵＣＣＨの最大送信電力を決定するステップと、
前記任意のタイムスロットで送信される第２タイプのＰＵＣＣＨのみの状況に基づいて前記任意のタイムスロットでの前記第２タイプのＰＵＣＣＨの実際の送信電力を決定するステップと、
前記ＰＨＲの決定されたタイプが前記第２タイプのＰＵＣＣＨに対するＰＨＲタイプ１であることに基づき、そして前記任意のタイムスロットで前記第２タイプのＰＵＣＣＨの前記最大送信電力と、前記任意のタイムスロットでの前記第２タイプのＰＵＣＣＨの前記実際の送信電力の組合せで、前記第２タイプのＰＵＣＣＨに対するＰＨＲタイプ１の電力ヘッドルームを決定するステップと、
を有することを特徴とする請求項４又は請求項５に記載の方法。
【請求項１４】
前記ＰＨＲの決定されたタイプが前記第２タイプのＰＵＣＣＨに対するＰＨＲタイプ２である場合に、前記ＰＨＲのタイプに基づいて前記対応する電力ヘッドルームを決定するステップは、
前記送信される第１タイプのＰＵＣＣＨと前記第２タイプのＰＵＣＣＨの状況で前記任意のタイムスロットでの前記第２タイプのＰＵＣＣＨの最大送信電力を決定するステップと、
前記任意のタイムスロットでの前記第２タイプのＰＵＣＣＨの最大送信電力、前記送信されるＰＵＣＣＨのタイプ、及びそれに対応する制限電力条件に基づいて前記任意のタイムスロットでの前記対応する制限電力のない前記第２タイプのＰＵＣＣＨの最大送信電力の最大値を決定するステップと、
前記送信される第２タイプのＰＵＣＣＨの状況に基づいて前記任意のタイムスロットでの前記第２タイプのＰＵＣＣＨの実際の送信電力を決定するステップと、
前記第２のＰＵＣＣＨに対するＰＨＲタイプ２である前記ＰＨＲの決定されたタイプに基づき、そして前記任意のタイムスロットで前記対応する制限電力のない前記第２タイプのＰＵＣＣＨの前記最大送信電力の最大値と前記任意のタイムスロットでの前記第２タイプのＰＵＣＣＨの実際の送信電力の組合せで、前記第２タイプのＰＵＣＣＨに対する前記ＰＨＲタイプ２の電力ヘッドルームを決定するステップと、
を有することを特徴とする請求項４又は請求項５に記載の方法。
【請求項１５】
電力ヘッドルーム報告(ＰＨＲ)を報告するデバイスであって、
送信されるＰＵＣＣＨのタイプに基づいて前記ＰＨＲのタイプを決定するように構成される情報決定モジュールと、
前記ＰＨＲのタイプに基づいて対応する電力ヘッドルームを決定し前記ＰＨＲを報告するように構成される情報報告モジュールと、
を含むことを特徴とするデバイス。
【発明の詳細な説明】
【技術分野】
【０００１】
本発明は通信分野に関連し、特に電力ヘッドルーム報告(ＰＨＲ)を報告する方法及びデバイスに関する。
【背景技術】
【０００２】
中国経済の急速な発展と共に、通信産業もその開発を加速化している。１９８０年代の１世代通信端末の登場から、移動インターネット技術に基づいた３世代端末装置(３Ｇ移動電話)の出現まで、これら全部は韓国の通信技術の巨大な開発潜在力を示す。最近、３Ｇは、全世界範囲のより良い無線ローミングを達成し、これは国際インターネットのようなマルチメディア通信と無線通信を結合し、イメージ、音楽、ビデオフローのような多様な形態のメディアコンテンツを処理し、Ｗｅｂページブラウジング、遠隔会議、電子商取引を含む多様な情報サービスを提供する。
【０００３】
しかしながら、情報技術の開発には終わりがなく、ＬＴＥ(Long-Term  Evolution)システムは、改善された情報データレートで市場に出てきた。ＬＴＥシステムの目的は、現在の３Ｇ技術の性能を改善及び向上させて新たに開発中の無線広帯域アクセス技術、例えばＷｉＭＡＸと競争し、広帯域無線アクセス市場で３Ｇ技術の競争力を促進することにある。２００４年末にＬＴＥプロジェクトがセミナー方式を通じて開始されてから、その標準は基本的に２００８年末に完成された。ＬＴＥシステムは３Ｇの進化であり、これは、４Ｇの核心技術の実現により一般的に３.９Ｇと称される。３Ｇのエアーアクセス技術を改善及び向上させるＬＴＥシステムは、移動通信と広帯域無線アクセスの融合である。一般的に言えば、ＬＴＥシステムは、現在の３Ｇ技術のデータサービス能力を大きく改善させて他の無線通信技術に比べて以後数年間３Ｇ技術の競争利点を保証する。現在、ほぼ大部分の電話通信オペレータ及び装置メーカーがＬＴＥを開発し始め、それによって急速な開発が進んでいる。一方、ＬＴＥ技術がこれらオペレータ及びメーカーのような電話通信エンタープライズに対してより優れた技術的利点及び経済的利点を提供できるため、ＬＴＥの開発状態が広く注目を集めている。
【０００４】
ＬＴＥシステムでは、より高い送信レートをサポートするために、複数のコンポーネントキャリア(ＣＣ)、ここで、各ＣＣは通信システムのアップリンク及びダウンリンクを構成するサービングセルと呼ばれうる、を組み合わせること、すなわちキャリアアグリゲーション(ＣＡ)技術によって、より大きい動作帯域幅が獲得される。ＣＡモードに設定されるＵＥに対して、セルのうちの一つはプライマリセル(Primary  cell：Ｐｃｅｌｌ)、他のセルはセカンダリセル(Secondary  cell：Ｓｃｅｌｌ)と称される。ＬＴＥ方法によれば、物理アップリンク共有チャンネル(ＰＵＳＣＨ）はすべてのアップリンクサービングセル上で送信される一方で、物理アップリンク制御チャンネル(ＰＵＣＣＨ）はＰｃｅｌｌ又は指定されたアップリンクＳｃｅｌｌ上で送信される。
【０００５】
ＬＴＥシステムにおいて基地局に対するアップリンクリソースをスケジューリングする基準を提供するために、ＵＥは、基地局にＰＵＣＣＨ及びＰＵＳＣＨについての残りの電力ヘッドルームを報告する必要があるだけでなく、どのように電力ヘッドルームを決定するかがＬＴＥシステムで解決する核心問題となった。
【発明の概要】
【発明が解決しようとする課題】
【０００６】
したがって、上記した従来技術の問題点を克服し、あるいは少なくとも部分的に解決するために、次のような技術的解決方式が提供される。
【課題を解決するための手段】
【０００７】
上記の目的を達成するために、本発明の一態様によれば、電力ヘッドルーム報告(ＰＨＲ)を報告する方法が提供される。その方法は、送信される物理アップリンク制御チャンネル(ＰＵＣＣＨ）のタイプに基づいて前記ＰＨＲのタイプを決定するステップと、ＰＨＲのタイプに基づいて対応する電力ヘッドルームを決定しＰＨＲを報告するステップとを有する。
【０００８】
本発明の他の態様によれば、ＰＨＲを報告するデバイスが提供される。そのデバイスは、情報決定モジュール及び情報報告モジュールを含み、情報決定モジュールはＰＵＣＣＨのタイプに基づいてＰＨＲのタイプを決定するように構成され、情報報告モジュールはＰＨＲのタイプに基づいて対応する電力ヘッドルームを決定してＰＨＲを報告するように構成される。
【０００９】
ＵＥから送信されるＰＵＣＣＨのタイプに基づいて、上記技術的解決方式は、電力ヘッドルームのタイプを決定し、その後に電力ヘッドルームのタイプにより、対応する電力ヘッドルームを決定し、電力ヘッドルームを受信ユニット、例えば基地局に報告し、基地局がＰＨＲを受信した後にＰＨＲで電力ヘッドルームを獲得する。獲得された電力ヘッドルームに基づいて、基地局は、ＵＥからＰＵＣＣＨを送信するための電力の使用量を認識する。したがって、ＰＵＣＣＨを送信するための電力使用量に基づき、基地局は、サービングセルの個数及び周期チャンネル状態情報(ＣＳＩ）のフィードバックモードをよりよく設定し、同時にハイブリッド自動再送要求確認応答(ＨＡＲＱ-ＡＣＫ)をバインディングするか否かを判定することができる。
【００１０】
本発明の追加的な側面及び利点は、下記の説明から部分的に与えられるか、明らかになり、あるいは本発明の実行からよく理解されることである。
【００１１】
本発明の上記、及び/又は追加的な態様及び利点は、添付された図面を参照して、実施形態の後述する詳細な説明から明らかになり、より容易に理解できる
【図面の簡単な説明】
【００１２】
【図１】本発明の一実施形態のＰＨＲを報告する方法を示すフローチャートである。
【図２】本発明の望ましい実施形態のＵＥにより送信される、時間においてオーバーラップされない第１タイプの物理アップリンク制御チャンネル(ＰＵＣＣＨ)及び第２タイプのＰＵＣＣＨを示す概略図である。
【図３】本発明の望ましい実施形態のＵＥにより送信される時間においてオーバーラップされる第１タイプのＰＵＣＣＨ及び第２タイプのＰＵＣＣＨを示す概略図である。
【図４】本発明の追加的な望ましい実施形態の物理アップリンク共有チャンネル(ＰＵＳＣＨ)との周波数分割多重化を使用して送信される、ＵＥにより送信される第１タイプのＰＵＣＣＨを示す概略図である。
【図５】本発明の他の望ましい実施形態のＰＵＳＣＨとの時分割多重化を使用して送信される、ＵＥにより送信される第２タイプのＰＵＣＣＨを示す概略図である。
【図６】本発明の望ましい実施形態のＰＵＳＣＨとの周波数分割多重化を使用して送信される、ＵＥにより送信される第２タイプのＰＵＣＣＨを示す概略図である。
【図７】本発明の他の望ましい実施形態のＵＥにより送信される第２タイプのＰＵＣＣＨ又は第１タイプのＰＵＣＣＨ及び第１のＰＵＣＣＨ及びＰＵＳＣＨが周波数分割多重化を使用して送信され、第２タイプのＰＵＣＣＨ及びＰＵＳＣＨが時分割多重化により送信される同一のタイムスロット内で送信される第２タイプのＰＵＣＣＨ又は第１タイプのＰＵＣＣＨの送信を示す概略図である。
【図８】本発明の他の望ましい実施形態のＵＥにより送信される第２タイプのＰＵＣＣＨ又は第１タイプのＰＵＣＣＨ及び第１タイプのＰＵＣＣＨ及びＰＵＳＣＨが周波数分割多重化を用いて送信され、第２タイプのＰＵＣＣＨ及びＰＵＳＣＨが周波数分割多重化を用いて送信される同一のタイムスロット内で送信される第２タイプのＰＵＣＣＨ又は第１タイプのＰＵＣＣＨの送信を示す概略図である。
【図９】本発明の他の望ましい実施形態のＵＥにより送信される第２タイプのＰＵＣＣＨ及び/又は第１タイプのＰＵＣＣＨと、同一のタイムスロットで同時に送信される第２タイプのＰＵＣＣＨ及び第１タイプのＰＵＣＣＨの送信を示す概略図である。ここで、第１タイプのＰＵＣＣＨ及びＰＵＳＣＨは周波数分割多重化を使用して送信され、第２タイプのＰＵＣＣＨ及びＰＵＳＣＨは時分割多重化を使用して送信され、第１タイプのＰＵＣＣＨ及び第２タイプのＰＵＣＣＨは時間においてオーバーラップされない。
【図１０】本発明の他の望ましい実施形態のＵＥにより送信される第２タイプのＰＵＣＣＨ及び/又は第１タイプのＰＵＣＣＨと、同時に同一のタイムスロットで送信される第２タイプのＰＵＣＣＨ及び第１タイプのＰＵＣＣＨの送信を示す概略図である。ここで、第１タイプのＰＵＣＣＨ及びＰＵＳＣＨは周波数分割多重化を使用して送信され、第２タイプのＰＵＣＣＨ及びＰＵＳＣＨは周波数分割多重化を使用して送信され、第１タイプのＰＵＣＣＨ及び第２タイプのＰＵＣＣＨは時間内にオーバーラップされない。
【図１１】本発明の他の望ましい実施形態のＵＥにより送信される第２タイプのＰＵＣＣＨ及び/又は第１タイプのＰＵＣＣＨと、同時に同一のタイムスロットで送信される第２タイプのＰＵＣＣＨ及び第１タイプのＰＵＣＣＨの送信を示す概略図である。ここで、第１タイプのＰＵＣＣＨ及びＰＵＳＣＨは周波数分割多重化を使用して送信され、第２タイプのＰＵＣＣＨ及びＰＵＳＣＨは時分割多重化を使用して送信され、第１タイプのＰＵＣＣＨ及び第２タイプのＰＵＣＣＨは時間内にオーバーラップされる。
【図１２】本発明の他の望ましい実施形態のＵＥにより送信される第２タイプのＰＵＣＣＨ及び/又は第１タイプのＰＵＣＣＨと、同時に同一のタイムスロットで送信される第２タイプのＰＵＣＣＨ及び第１タイプのＰＵＣＣＨの送信を示す概略図である。ここで、第１タイプのＰＵＣＣＨ及びＰＵＳＣＨは、周波数分割多重化を使用して送信され、第２タイプのＰＵＣＣＨ及びＰＵＳＣＨは周波数分割多重化を使用して送信され、第１タイプのＰＵＣＣＨ及び第２タイプのＰＵＣＣＨは時間内にオーバーラップされない。
【図１３】本発明の他の望ましい実施形態のＰＨＲを報告するデバイスの構造的フレームワークを示す概略図である。
【発明を実施するための形態】
【００１３】
以下、本発明の望ましい実施形態を添付の図面を参照して詳細に説明する。
【００１４】
本発明の実施形態は、同一の又は類似した参照番号が同一の又は類似した構成要素又は同一の又は類似の機能を有する構成要素を示す添付の図面に示す。添付の図面を参照して、説明される実施形態は例示的なものであり、 単にその実例を示すものに過ぎず、本発明の範囲を限定するものとして捉えてはならない。
【００１５】
英文明細書に記載の“ａ”、“ａｎ”、及び“ｔｈｅ”、すなわち単数形は、コンテキスト中に特記で明示されない限り、複数形を含むことは、当業者にはわかることである。また、用語‘含む(comprising)’は、明細書上に記載された特徴、整数、段階、動作、構成要素、部品又はコンポーネントが存在することを指定しようとするものであって、一つ又はそれ以上の他の特徴、整数、段階、動作、構成要素、コンポーネント、及び/又はこれらの組み合わせの存在を排除しないことを加えて理解しなければならない。一つの構成要素が他の構成要素に“接続され(connected  to)”又は“結合され(coupled  to)”と記載する場合には、一つの構成要素が他の構成要素に直接的に接続され又は結合されるか、あるいは他の構成要素を介して接続される。ここで使用される“接続される”“結合される”は、無線接続又は結合を含む。さらに、ここで使用されるように、“及び/又は”との用語は、複数の関連した記載項目の組み合わせ又は複数の関連した記載項目のうちいずれかの項目を含む。
【００１６】
別に定義されない限り、ここで使用される技術的及び科学的な用語を含むすべての用語は、本発明が属する技術分野における通常の知識を有する者に一般的に理解される意味と同一の意味を有する。一般的に使用される辞書で定義されるような用語は、関連技術の文脈上有する意味と一致する意味を有すると理解されなければならなく、ここで明白に定義されない限り、理想的又は過度に形式的な意味で理解されない。
【００１７】
図１は、本発明の一実施形態の電力ヘッドルーム報告(ＰＨＲ)を報告する方法を示すフローチャートである。
図１は、本発明の一実施形態の電力ヘッドルーム報告(ＰＨＲ)を報告する方法を示すフ  実施形態の実行主体はユーザー装置(ＵＥ)であることが説明されなければならない。
【００１８】
ステップＳ１０１において、送信される物理アップリンク制御チャンネル(ＰＵＣＣＨ)のタイプに基づいてＰＨＲのタイプを決定し、ステップＳ１０２において、ＰＨＲのタイプに基づいて対応する電力ヘッドルームを決定してＰＨＲを報告する。
【００１９】
電力ヘッドルームのタイプは、ＵＥで送信されるＰＵＣＣＨのタイプに従って決定され、対応する電力ヘッドルームは電力ヘッドルームのタイプに従って決定され、電力ヘッドルームは受信端末、例えば基地局がＵＥからＰＵＣＣＨを送信するための電力の使用量を認識するように報告される。したがって、ＰＵＣＣＨの電力の使用量に基づき、基地局は、サービングセルの個数を設定し、ハイブリッド自動再送要求確認応答(ＨＡＲＱ-ＡＣＫ)をよりよくバインディングするか否かを判定し、その間に周期的チャンネル状態情報(ＣＳＩ)のフィードバックを一層良く設定することができる。
【００２０】
また、各ステップの具体的な実現に関する説明は、下記のとおりである。
【００２１】
ステップＳ１０１において、送信されるＰＵＣＣＨのタイプに基づいてＰＨＲのタイプを決定する。
【００２２】
ここで、ＰＵＣＣＨのタイプは、第１タイプのＰＵＣＣＨと第２タイプのＰＵＣＣＨに分類され、第１タイプのＰＵＣＣＨは少なくとも一つのタイムスロット内に位置し、所定の値Ｍ(Ｍはプロトコルにより予め定められた、あるいは上位レイヤシグナリングにより構成された正の整数)よりも多くの個数の直交周波数分割多重化(ＯＦＤＭ)シンボルを占有する。第２タイプのＰＵＣＣＨは、１つのタイムスロット内の少なくとも一つのＯＦＤＭシンボル内に位置し、値Ｐ(Ｐはプロトコルにより予め定められた、あるいは上位レイヤシグナリングにより構成された正の整数)よりも少ないか等しい個数のシンボルを占有する。
【００２３】
上位レイヤシグナリングに基づいて構成されるＰＵＣＣＨのタイプは、第１タイプのＰＵＣＣＨ又は第２タイプのＰＵＣＣＨであり、あるいはＵＥにより送信されるＰＵＣＣＨのタイプは、第１タイプのＰＵＣＣＨ又は第２タイプのＰＵＣＣＨであってもよく、物理階層シグナリングに基づいて指示されるＰＵＣＣＨのタイプは、第１タイプのＰＵＣＣＨ又は第２タイプのＰＵＣＣＨであり、あるいはＵＥにより送信されるＰＵＣＣＨのタイプは、第１タイプのＰＵＣＣＨ若しくは第２タイプのＰＵＣＣＨ、又は同一のタイムスロットで同時に送信される第１タイプのＰＵＣＣＨ及び第２タイプのＰＵＣＣＨであり得る。
【００２４】
その上、図２に示すように、第１タイプのＰＵＣＣＨ及び第２タイプのＰＵＣＣＨは、時間においてオーバーラップされずに送信されるが、図３に示すように、第１タイプのＰＵＣＣＨ及び第２タイプのＰＵＣＣＨは、時間においてオーバーラップされて送信されることも可能である。ＵＥが複数のＰＵＣＣＨセルグループを構成しない場合、すなわちＵＥがプライマリセル(Ｐｃｅｌｌ)内のみでＰＵＣＣＨを送信する場合、実施形態においてＵＥが同一のタイムスロットで同時にＰＵＣＣＨ及びＰＵＳＣＨを送信できるように構成されるか否かはすべてのサービングセルに関することであり、ＵＥが複数のＰＵＣＣＨセルグループを構成し、すなわちＵＥがＰｃｅｌｌ内でＰＵＣＣＨを送信するだけでなく、指定されたセカンダリセル(Ｓｃｅｌｌ)でＰＵＣＣＨを送信する場合、実施形態においてＵＥが同一のタイムスロットで同時にＰＵＣＣＨ及びＰＵＳＣＨを送信するように構成されるか否かは、各ＰＵＣＣＨセルグループのサービングセルに関することである。
【００２５】
ここで、ＰＨＲは、次のタイプのうち少なくとも一つを含む。ＰＨＲタイプ１、ＰＨＲタイプ２、第２タイプのＰＵＣＣＨに対するＰＨＲタイプ１、及び第２タイプのＰＵＣＣＨに対するＰＨＲタイプ２。
【００２６】
特に、送信されるＰＵＣＣＨのタイプに基づいてＰＨＲのタイプを決定するステップは、次のことを含む。ＰＵＳＣＨ及び第１タイプのＰＵＣＣＨが任意のタイムスロット内で同時に送信されるように構成される場合、ＰＨＲのタイプは次のうち少なくとも一つの組合せを含むように決定される。ＰＨＲタイプ１及びＰＨＲタイプ２;ＰＨＲタイプ１及び第２タイプのＰＵＣＣＨに対するＰＨＲタイプ１;ＰＨＲタイプ１及び第２タイプのＰＵＣＣＨに対するＰＨＲタイプ２。ＰＵＳＣＨ及び第２タイプのＰＵＣＣＨが任意のタイムスロット内で同時に送信されるように構成される場合、ＰＨＲのタイプは、次のうち少なくとも一つの組合せを含むように決定される。ＰＨＲタイプ１及びＰＨＲタイプ２、ＰＨＲタイプ１及び第２タイプのＰＵＣＣＨに対するＰＨＲタイプ１、ＰＨＲタイプ１及び第２タイプのＰＵＣＣＨに対するＰＨＲタイプ２。
【００２７】
送信されるＰＵＣＣＨのタイプに基づいて、ＰＨＲのタイプを決定するステップは、次のことをさらに含む。ＰＵＳＣＨと第１タイプのＰＵＣＣＨが任意のタイムスロット内で同時に送信されるように構成されず、また、送信されるＰＵＣＣＨのタイプは第１タイプのＰＵＣＣＨであり、送信される第１タイプのＰＵＣＣＨ及びＰＵＳＣＨが周波数分割多重化を使用して送信される場合、ＰＨＲのタイプはＰＨＲタイプ１であると決定される。
【００２８】
ＰＨＲタイプ１は、アップリンクサービングセルの全てにおいてＰＵＳＣＨを送信することが可能なＰＨＲのタイプであり、ＰＨＲタイプ２は、アップリンクサービングセルの全てにおいてＰＵＳＣＨを送信し、Ｐｃｅｌｌ又は指定されたＳｃｅｌｌにおいて第１タイプのＰＵＣＣＨ又は第２タイプのＰＵＣＣＨを送信することが可能なＰＨＲのタイプであり、第２タイプのＰＵＣＣＨに対するＰＨＲタイプ１は、アップリンクサービングセルの全てにおいてＰＵＳＣＨを送信し、Ｐｃｅｌｌ又は指定されたＳｃｅｌｌにおいて第２タイプのＰＵＣＣＨを送信することが可能なＰＨＲのタイプであり、第２タイプのＰＵＣＣＨに対するＰＨＲタイプ２は、アップリンクサービングセルの全てにおいてＰＵＳＣＨを送信し、Ｐｃｅｌｌ又は指定されたＳｃｅｌｌにおいて２タイプのＰＵＣＣＨを送信することが可能なＰＨＲのタイプであることが説明されなければならない。
【００２９】
９個のシナリオにおけるステップＳ１０１に関する更なる説明は、次のとおりである。
【００３０】
図４に示すようなシナリオ１：送信されるＰＵＣＣＨのタイプが第１タイプのＰＵＣＣＨであり、送信される第１タイプのＰＵＣＣＨと送信されるＰＵＳＣＨが周波数分割多重化を使用して送信される場合、ＰＵＳＣＨ及び第１タイプのＰＵＣＣＨが任意のタイムスロット内で同時に送信されるようにＵＥが構成されない場合は、ＰＨＲのタイプをＰＨＲタイプ１として決定し、ＰＵＳＣＨ及び第１タイプのＰＵＣＣＨが任意のタイムスロット内で同時に送信されるようにＵＥが構成される場合は、ＰＨＲのタイプは、ＰＨＲタイプ１及びＰＨＲタイプ２として決定される。
【００３１】
図５に示すようなシナリオ２：送信されるＰＵＣＣＨのタイプが第２タイプのＰＵＣＣＨであり、送信される第２タイプのＰＵＣＣＨと送信されるＰＵＳＣＨが時分割多重化を使用して送信され、ＰＵＳＣＨ及び第２タイプのＰＵＣＣＨが任意のタイムスロット内で同時に送信されるようにＵＥが構成される場合、ＰＨＲのタイプは、第２タイプのＰＵＣＣＨに対するＰＨＲタイプ１及びＰＨＲタイプ１として決定される。
【００３２】
図６に示すようなシナリオ３：送信されるＰＵＣＣＨのタイプが第２タイプのＰＵＣＣＨであり、送信される第２タイプのＰＵＣＣＨと送信されるＰＵＳＣＨが周波数分割多重化を使用して送信され、ＵＥがＰＵＳＣＨ及び第２タイプのＰＵＣＣＨが任意のタイムスロット内で同時に送信されるように構成される場合、ＰＨＲのタイプは、第２タイプのＰＵＣＣＨに対するＰＨＲタイプ１又はＰＨＲタイプ１及びＰＨＲタイプ２として決定される。
【００３３】
図７に示すようなシナリオ４：送信されるＰＵＣＣＨのタイプが第１タイプのＰＵＣＣＨ又は第２タイプのＰＵＣＣＨであり、第１タイプのＰＵＣＣＨ又は第２タイプのＰＵＣＣＨが同一のタイムスロット内で送信され、送信される第１タイプのＰＵＣＣＨと送信されるＰＵＳＣＨが周波数分割多重化で送信され、送信される第２タイプのＰＵＣＣＨ及び送信されるＰＵＳＣＨが時分割多重化で送信される場合、ＰＵＳＣＨ及び第１タイプのＰＵＣＣＨが任意のタイムスロット内で同時に送信されるようにＵＥが構成される場合は、ＰＨＲのタイプは、ＰＨＲタイプ１及びＰＨＲタイプ２として決定され、ＰＵＳＣＨ及び第２タイプのＰＵＣＣＨが任意のタイムスロット内で同時に送信されるようにＵＥが構成される場合は、ＰＨＲのタイプは、第２タイプのＰＵＣＣＨに対するＰＨＲタイプ１及びＰＨＲタイプ１として決定される。
【００３４】
図８に示すようなシナリオ５：送信されるＰＵＣＣＨのタイプが第１タイプのＰＵＣＣＨ又は第２タイプのＰＵＣＣＨであり、第１タイプのＰＵＣＣＨ又は第２タイプのＰＵＣＣＨが同一のタイムスロット内で送信され、送信される第１タイプのＰＵＣＣＨと送信されるＰＵＳＣＨが周波数分割多重化を使用して送信され、送信される第２タイプのＰＵＣＣＨ及び送信されるＰＵＳＣＨが周波数分割多重化を使用して送信される場合、ＰＵＳＣＨ及び第１タイプのＰＵＣＣＨが任意のタイムスロット内で同時に送信されるようにＵＥが構成される場合は、ＰＨＲのタイプは、ＰＨＲタイプ１及びＰＨＲタイプ２として決定され、ＰＵＳＣＨ及び第２タイプのＰＵＣＣＨが任意のタイムスロット内で同時に送信されるようにＵＥが構成される場合は、ＰＨＲのタイプは、ＰＨＲタイプ１及びＰＨＲタイプ２、又はＰＨＲタイプ１及び第２タイプのＰＵＣＣＨに対するＰＨＲタイプ１として決定される。
【００３５】
図９に示すようなシナリオ６：送信されるＰＵＣＣＨのタイプが第１タイプのＰＵＣＣＨ及び/又は第２タイプのＰＵＣＣＨであり、第１タイプのＰＵＣＣＨ又は第２タイプのＰＵＣＣＨが同一のタイムスロット内で同時に送信され、送信される第１タイプのＰＵＣＣＨと送信されるＰＵＳＣＨが周波数分割多重化を使用して送信され、送信される第２タイプのＰＵＣＣＨ及び送信されるＰＵＳＣＨが時分割多重化を使用して送信され、送信される第１タイプのＰＵＣＣＨと送信される第２タイプのＰＵＣＣＨが時間においてオーバーラップされない場合、ＰＵＳＣＨ及び第１タイプのＰＵＣＣＨが任意のタイムスロット内で同時に送信されるようにＵＥが構成される場合は、ＰＨＲのタイプは、ＰＨＲタイプ１及びＰＨＲタイプ２として決定され、ＰＵＳＣＨ及び第２タイプのＰＵＣＣＨが任意のタイムスロット内で同時に送信されるようにＵＥが構成される場合は、ＰＨＲのタイプは、ＰＨＲタイプ１及び第２タイプのＰＵＣＣＨに対するＰＨＲタイプ１として決定される。
【００３６】
図１０に示すようなシナリオ７：送信されるＰＵＣＣＨのタイプが第１タイプのＰＵＣＣＨ及び/又は第２タイプのＰＵＣＣＨであり、第１タイプのＰＵＣＣＨ及び第２タイプのＰＵＣＣＨが同一のタイムスロット内で同時に送信され、送信される第１タイプのＰＵＣＣＨと送信されるＰＵＳＣＨが周波数分割多重化を使用して送信され、送信される第２タイプのＰＵＣＣＨ及び送信されるＰＵＳＣＨが周波数分割多重化を使用して送信され、送信される第１タイプのＰＵＣＣＨと送信される第２タイプのＰＵＣＣＨが時間においてオーバーラップされない場合、ＰＵＳＣＨ及び第１タイプのＰＵＣＣＨが任意のタイムスロット内で同時に送信されるようにＵＥが構成される場合は、ＰＨＲのタイプは、ＰＨＲタイプ１及びＰＨＲタイプ２として決定され、ＰＵＳＣＨ及び第２タイプのＰＵＣＣＨが任意のタイムスロット内で同時に送信されるようにＵＥが構成される場合は、ＰＨＲのタイプは、ＰＨＲタイプ１及び第２タイプのＰＵＣＣＨに対するＰＨＲタイプ１、又はＰＨＲタイプ１及びＰＨＲタイプ２として決定される。
【００３７】
図１１に示すようなシナリオ８ａ：送信されるＰＵＣＣＨが第１タイプのＰＵＣＣＨ及び/又は第２タイプのＰＵＣＣＨであり、第１タイプのＰＵＣＣＨ及び第２タイプのＰＵＣＣＨが同一のタイムスロット内で同時に送信され、送信される第１タイプのＰＵＣＣＨと送信されるＰＵＳＣＨが周波数分割多重化を使用して送信され、送信される第２タイプのＰＵＣＣＨ及び送信されるＰＵＳＣＨが時分割多重化を使用して送信され、送信される第１タイプのＰＵＣＣＨと送信される第２タイプのＰＵＣＣＨが時間においてオーバーラップされる場合、電力が制限され、送信される第１タイプのＰＵＣＣＨの電力が優先順位を有し、予約電力(reserved  power)が設定されない場合、ＰＵＳＣＨ及び第１タイプのＰＵＣＣＨが任意のタイムスロット内で同時に送信されるようにＵＥが構成される場合は、ＰＨＲのタイプはＰＨＲタイプ１及びＰＨＲタイプ２として決定され、ＰＵＳＣＨ及び第２タイプのＰＵＣＣＨが任意のタイムスロット内で同時に送信されるようにＵＥが構成される場合は、ＰＨＲのタイプは、ＰＨＲタイプ１及び第２タイプのＰＵＣＣＨに対するＰＨＲタイプ２として決定される。
【００３８】
図１１に示すようなシナリオ８ｂ：送信されるＰＵＣＣＨのタイプが第１タイプのＰＵＣＣＨ及び/又は第２タイプのＰＵＣＣＨであり、第１タイプのＰＵＣＣＨ及び第２タイプのＰＵＣＣＨが同一のタイムスロット内で同時に送信され、送信される第１タイプのＰＵＣＣＨと送信されるＰＵＳＣＨが周波数分割多重化を使用して送信され、送信される第２タイプのＰＵＣＣＨ及び送信されるＰＵＳＣＨが時分割多重化を使用して送信され、送信される第１タイプのＰＵＣＣＨと送信される第２タイプのＰＵＣＣＨが時間においてオーバーラップされる場合、電力が制限され、第１タイプのＰＵＣＣＨの電力が優先順位を有し、送信される第２タイプのＰＵＣＣＨの予約電力が設定されている場合、ＰＵＳＣＨ及び第１タイプのＰＵＣＣＨが任意のタイムスロット内で同時に送信されるようにＵＥが構成される場合は、ＰＨＲのタイプはＰＨＲタイプ１及びＰＨＲタイプ２として決定され、ＰＵＳＣＨ及び第２タイプのＰＵＣＣＨが任意のタイムスロット内で同時に送信されるようにＵＥが構成される場合は、ＰＨＲのタイプはＰＨＲタイプ１及び第２タイプのＰＵＣＣＨに対するＰＨＲタイプ２として決定される。
【００３９】
図１２に示すようなシナリオ９ａ：送信されるＰＵＣＣＨのタイプが第１タイプのＰＵＣＣＨ及び/又は第２タイプのＰＵＣＣＨであり、第１タイプのＰＵＣＣＨ及び第２タイプのＰＵＣＣＨが任意のタイムスロット内で同時に送信され、送信される第１タイプのＰＵＣＣＨと送信されるＰＵＳＣＨが周波数分割多重化を使用して送信され、送信される第２タイプのＰＵＣＣＨ及び送信されるＰＵＳＣＨが周波数分割多重化を使用して送信され、送信される第１タイプのＰＵＣＣＨと送信される第２タイプのＰＵＣＣＨが時間においてオーバーラップされる場合、電力が制限され、送信される第１タイプのＰＵＣＣＨの電力が優先順位を有し、その間に第２タイプのＰＵＣＣＨの予約電力が設定されない場合、ＰＵＳＣＨ及び第１タイプのＰＵＣＣＨが任意のタイムスロット内で同時に送信されるようにＵＥが構成される場合は、ＰＨＲのタイプはＰＨＲタイプ１及びＰＨＲタイプ２として決定され、ＰＵＳＣＨ及び第２タイプのＰＵＣＣＨが任意のタイムスロット内で同時に送信されるようにＵＥが構成される場合、ＰＨＲのタイプは、ＰＨＲタイプ１及び第２タイプのＰＵＣＣＨに対するＰＨＲタイプ２、又はＰＨＲタイプ１及びＰＨＲタイプ２として決定される。
【００４０】
図１２に示すようなシナリオ９ｂ：送信されるＰＵＣＣＨが第１タイプのＰＵＣＣＨ及び/又は第２タイプのＰＵＣＣＨであり、第１タイプのＰＵＣＣＨ及び第２タイプのＰＵＣＣＨが同一のタイムスロット内で同時に送信され、送信される第１タイプのＰＵＣＣＨと送信されるＰＵＳＣＨが周波数分割多重化を使用して送信され、送信される第２タイプのＰＵＣＣＨ及び送信されるＰＵＳＣＨが周波数分割多重化を使用して送信され、送信される第１タイプのＰＵＣＣＨと送信される第２タイプのＰＵＣＣＨが時間においてオーバーラップされる場合、電力が制限され、送信される第１タイプのＰＵＣＣＨの電力が優先順位を有し、送信される第２タイプのＰＵＣＣＨの予約電力が設定されない場合、ＰＵＳＣＨ及び第１タイプのＰＵＣＣＨが任意のタイムスロット内で同時に送信されるようにＵＥが構成される場合は、ＰＨＲのタイプはＰＨＲタイプ１及びＰＨＲタイプ２として決定され、ＰＵＳＣＨ及び第２タイプのＰＵＣＣＨが任意のタイムスロット内で同時に送信されるようにＵＥが構成される場合は、ＰＨＲのタイプはＰＨＲタイプ１及び第２タイプのＰＵＣＣＨに対するＰＨＲタイプ２、又はＰＨＲタイプ１及びＰＨＲタイプ２として決定される。
【００４１】
ステップＳ１０２：対応する電力ヘッドルームはＰＨＲのタイプに基づいて決定され、ＰＨＲが報告される。
【００４２】
９個のシナリオでステップＳ１０２に関する更なる説明は、次のとおりである。
【００４３】
特に、ＰＨＲのタイプがＰＨＲタイプ１として決定される場合、ＰＨＲのタイプに基づいて対応する電力ヘッドルームを決定するステップは、任意のタイムスロット内で送信されるＰＵＳＣＨの状況に基づいて、任意のタイムスロットでのＰＵＳＣＨの実際の送信電力が決定され、任意のタイムスロット内で送信されるＰＵＳＣＨ及びＰＵＣＣＨの状況に基づいて、任意のタイムスロットでのＰＵＳＣＨの最大送信電力が決定され、任意のタイムスロットでのＰＵＳＣＨの実際の送信電力及び任意のタイムスロットでのＰＵＳＣＨの最大送信電力に基づいてＰＨＲタイプ１の電力ヘッドルームを決定するステップを有する。
【００４４】
任意のタイムスロットで送信されるＰＵＳＣＨ及びＰＵＣＣＨの状況に基づき、任意のタイムスロットでのＰＵＳＣＨの最大送信電力を決定するステップは、次のような状況のうちの一つを含む。ＰＵＳＣＨと第１タイプのＰＵＣＣＨが任意のタイムスロット内で同時に送信されるか、あるいはＰＵＳＣＨと第２タイプのＰＵＣＣＨが同時に送信される場合、任意のタイムスロットでのＰＵＳＣＨの最大送信電力は、任意のタイムスロット内で送信されるＰＵＳＣＨのみの状況でのＰＵＳＣＨの最大送信電力として決定される。任意のタイムスロット内でＰＵＳＣＨが送信され、第１タイプのＰＵＣＣＨが送信されない場合、あるいは任意のタイムスロット内でＰＵＳＣＨは送信され、第２タイプのＰＵＣＣＨは送信されない場合、任意のタイムスロットでのＰＵＳＣＨの最大送信電力は、任意のタイムスロットでの最大送信電力として決定される。任意のタイムスロット内で第１タイプのＰＵＣＣＨ又は第２タイプのＰＵＣＣＨが送信されるか、あるいはＰＵＳＣＨが送信されない場合、最大電力減少(ＭＰＲ)＝０、追加最大電力減少(Ａ-ＭＰＲ)＝０、電力管理ＭＰＲ(Ｐ-ＭＰＲ)＝０、及び許可された動作帯域エッジ送信電力緩和(ΔＴＣ)＝０の条件を満たす場合、任意のタイムスロットでのＰＵＳＣＨの最大送信電力は、任意のタイムスロットでのＰＵＳＣＨの最大送信電力として決定される。ＰＵＳＣＨ又は第１タイプのＰＵＣＣＨもしくは第２タイプのＰＵＣＣＨのいずれもが任意のタイムスロット内で送信されない場合、任意のタイムスロットでのＰＵＳＣＨの最大送信電力は、ＭＰＲ＝０、Ａ-ＭＰＲ＝０、Ｐ-ＭＰＲ＝０、及びΔＴＣ＝０の条件を満たす場合、任意のタイムスロットでのＰＵＳＣＨの最大送信電力として決定される。
【００４５】
ＰＨＲのタイプがＰＨＲタイプ２として決定される場合、ＰＨＲのタイプに基づいて対応する電力ヘッドルームを決定するステップは、任意のタイムスロット内で送信されるＰＵＳＣＨの状況に基づいて任意のタイムスロットでのＰＵＳＣＨの実際の送信電力が決定され、任意のタイムスロット内で送信される第１タイプのＰＵＣＣＨ又は第２タイプのＰＵＣＣＨの状況に基づいて、任意のタイムスロットでの対応するＰＵＣＣＨの実際の送信電力が決定され、任意のタイムスロット内で送信される第１タイプのＰＵＣＣＨ又は第２タイプのＰＵＣＣＨの状況に基づいて、任意のタイムスロットでの第１タイプのＰＵＣＣＨ又は第２タイプのＰＵＣＣＨに対応する実際の送信電力が決定され、任意のタイムスロット内で送信されるＰＵＳＣＨ又は第１タイプのＰＵＣＣＨの状況に基づいて、任意のタイムスロットでの最大送信電力又はＰＵＳＣＨの最大送信電力が決定され、あるいは任意のタイムスロット内で送信されるＰＵＳＣＨ及び第２タイプのＰＵＣＣＨの状況に基づいて、任意のタイムスロットでの最大送信電力又はＰＵＳＣＨの最大送信電力が決定され、任意のタイムスロットでのＰＵＳＣＨの実際の送信電力、任意のタイムスロットでの対応するタイプのＰＵＣＣＨの実際の送信電力、任意のタイムスロットでの最大送信電力又はＰＵＳＣＨの最大送信電力に基づいてＰＨＲタイプ２の電力ヘッドルームが決定されることを含む。
【００４６】
任意のタイムスロット内で送信されるＰＵＳＣＨ及び第１タイプのＰＵＣＣＨの状況に基づいて、任意のタイムスロットでの最大送信電力又はＰＵＳＣＨの最大送信電力を決定するステップは、ＰＵＳＣＨ及び第１タイプのＰＵＣＣＨが任意のタイムスロット内で同時に送信される場合、あるいはＰＵＳＣＨのみが任意のタイムスロット内で送信される場合、あるいは第１タイプのＰＵＣＣＨのみが任意のタイムスロット内で送信される場合、任意のタイムスロットでの最大送信電力が決定され、あるいは任意のタイムスロット内でＰＵＳＣＨ又は第１タイプのＰＵＣＣＨが送信されない場合、ＭＰＲ＝０、Ａ-ＭＰＲ＝０、Ｐ-ＭＰＲ＝０、ΔＴＣ＝０の条件を満たす場合、任意のタイムスロットでのＰＵＳＣＨの最大送信電力が決定されることを含む。
【００４７】
任意のタイムスロット内で送信されるＰＵＳＣＨ及び第２タイプのＰＵＣＣＨの状況に基づいて、任意のタイムスロットでの最大送信電力又はＰＵＳＣＨの最大送信電力を決定するステップは、ＰＵＳＣＨ及び第２タイプのＰＵＣＣＨが任意のタイムスロット内で同時に送信される場合、あるいはＰＵＳＣＨのみが任意のタイムスロット内で送信される場合、あるいは第２タイプのＰＵＣＣＨのみが任意のタイムスロット内で送信される場合、任意のタイムスロットでの最大送信電力が決定され、あるいは任意のタイムスロット内でＰＵＳＣＨ又は第２タイプのＰＵＣＣＨが送信されない場合、そしてＭＰＲ＝０、Ａ-ＭＰＲ＝０、Ｐ-ＭＰＲ＝０、ΔＴＣ＝０の条件を満たす場合、任意のタイムスロットでのＰＵＳＣＨの最大送信電力が決定されることを含む。
【００４８】
シナリオ１：図４に示すように、送信されるＰＵＣＣＨのタイプが第１タイプのＰＵＣＣＨであり、送信される第１タイプのＰＵＣＣＨと送信されるＰＵＳＣＨが周波数分割多重化を用いて送信される場合：
【００４９】
ケース１：第１タイプのＰＵＣＣＨ及びＰＵＳＣＨが同一のタイムスロット内で同時に送信されるようにＵＥが構成される場合、ＵＥは、ＰＨＲタイプ１及びＰＨＲタイプ２により、異なる状況で第１タイプのＰＵＣＣＨに対する電力ヘッドルームを計算できる。
【００５０】
状況ａ：ＵＥがサービングセルｃのタイムスロットｉ内でＰＵＳＣＨと第１タイプのＰＵＣＣＨを同時に送信する場合、ＵＥにより報告されるＰＨＲタイプ１に対応する電力ヘッドルームは、次のとおりである。
【００５１】
【数１】
2020505832.tif 000003
【００５２】
ＵＥは同時に
【００５３】
【数２】
2020505832.tif 000004
【００５４】
を報告する。
ここで、
【００５５】
【数３】
2020505832.tif 000005
【００５６】
は、サービングセルｃのタイムスロットｉ内でＰＵＳＣＨのみがＵＥにより送信されるという仮定の下に計算されるＰＵＳＣＨの最大送信電力であり、ＭＰＵＳＣＨ,ｃ(ｉ)はＰＵＳＣＨにより占有される物理リソースブロック(ＰＲＢ)の個数であり、Ｐ０_ＰＵＳＣＨ,ｃ(ｊ)は上位レイヤシグナリングにより構成される電力オフセット値であり、αｃ(ｊ)はリンク損失であり、ＰＬｃは制御補償リンク損失の全部又は一部である。ここで、半永久的スケジューリング(ＳＰＳ)のＰＵＳＣＨ又はＰＵＳＣＨ再送信に対してｊ＝０であり、ダイナミックスケジューリングのＰＵＳＣＨ又はＰＵＳＣＨ再送信に対してｊ＝１であり、ランダムアクセス応答(ＲＡＲ)スケジューリングのＰＵＳＣＨ又はＰＵＳＣＨ再送信に対してｊ＝２であり、ΔＴＦ,ｃ(ｉ)はアップリンク送信の変調及び符号化方式(ＭＣＳ)に関連されるパラメータである。具体的に説明すると、パラメータＫＳが１.２５に等しい場合、
【００５７】
【数４】
2020505832.tif 000006
【００５８】
であり、非周期的チャンネル状態情報(Ａ-ＣＳＩ)のみが送信され、いかなるアップリンクデータも送信されない場合、
【００５９】
【数５】
2020505832.tif 000007
【００６０】
であり、アップリンクデータが送信される場合、
【００６１】
【数６】
2020505832.tif 000008
【００６２】
であり、Ｃは送信ブロック(ＴＢ)により分割されるコードブロック(ＣＢ)の個数であり、Ｋｒはｒ番目のＣＢのビット個数であり、ＮＲＥはＰＵＳＣＨチャンネルに含まれているリソースエレメント(ＲＥ)の総個数であり、ｆｃ(ｉ)は閉ループ電力制御の累積回数である。
【００６３】
ＵＥが同時にサービングセルｃのタイムスロットｉ内でＰＵＳＣＨと第１タイプのＰＵＣＣＨを送信する場合、ＵＥにより報告されるＰＨＲタイプ２に対応する電力ヘッドルームは、次のとおりである。
【００６４】
【数７】
2020505832.tif 000009
【００６５】
ＵＥは、同時にＰＣＭＡＸ,ｃ(ｉ)を報告する。
【００６６】
ここで、ＰＣＭＡＸ,ｃ(ｉ)は、サービングセルｃのタイムスロットｉ内でのＵＥの構成された最大送信電力であり、Ｐ０_ＰＵＣＣＨは上位レイヤシグナリングにより構成される電力オフセットであり、ＰＬｃはリンク損失であり、ｈ(ｎＣＱＩ,ｎＨＡＲＱ,ｎＳＲ)はＰＵＣＣＨのフォーマットとフィードバックが要求されるアップリンク制御情報(ＵＣＩ）のビット個数に関連される電力オフセットであり、ｎＣＱＩはタイムスロットｉ内でフィードバックを必要とするチャンネル状態情報(ＣＳＩ)のビット個数であり、ｎＳＲはタイムスロットｉ内でフィードバックを必要とするスケジューリング要求(ＳＲ）のビット個数であり、０又は１に等しく、ｎＨＡＲＱはタイムスロットｉ内で実際にフィードバックを必要とする有効ハイブリッド自動再送要求確認応答(ＨＡＲＱ-ＡＣＫ)のビット個数であり、例えばＰＵＣＣＨフォーマット３に対して、ＣＳＩがフィードバックを必要とする場合、
【００６７】
【数８】
2020505832.tif 000010
【００６８】
であり、ΔＦ_ＰＵＣＣＨ(Ｆ)は基準フォーマットに対する電力オフセットである。ここで、基準フォーマットはＬＴＥシステムにおけるＰＵＣＣＨフォーマット１ａであり、ΔＴｘＤ(Ｆ′)はＰＵＣＣＨフォーマット及び送信ダイバーシティを採用するか否かに関するパラメータである。
【００６９】
基地局は、上記のような状況ａでのこれら数値及び下記のような式３に基づいて第１タイプのＰＵＣＣＨのみが送信される場合の電力ヘッドルームを計算できる。
【００７０】
【数９】
2020505832.tif 000011
【００７１】
ここで、
【００７２】
【数１０】
2020505832.tif 000012
【００７３】
はＵＥがサービングセルｃのタイムスロットｉ内で第１タイプのＰＵＣＣＨのみを送信するという仮定の下に計算された第１タイプのＰＵＣＣＨの最大送信電力であり、
【００７４】
【数１１】
2020505832.tif 000013
【００７５】
は次のような２つの方式により獲得される。
一つの方式：
【００７６】
【数１２】
2020505832.tif 000014
【００７７】
はタイムスロットｉ内でＰＵＳＣＨのみが送信されるという仮定の下に計算された
【００７８】
【数１３】
2020505832.tif 000015
【００７９】
に等しいと見なされ、ＰＨＲタイプ２を報告する場合に
【００８０】
【数１４】
2020505832.tif 000016
【００８１】
を別に報告することは不要である。
他の方式：ＵＥがＰＨＲタイプ１を報告する場合、タイムスロットｉ内でＰＵＳＣＨのみが送信されている状況で計算された
【００８２】
【数１５】
2020505832.tif 000017
【００８３】
を報告することが要求される。ＵＥがＰＨＲタイプ２を報告する場合、タイムスロットｉ内でＰＵＳＣＨ及び第１タイプのＰＵＣＣＨが送信されている状況で計算されたＰＣＭＡＸ,ｃ(ｉ)を報告することが要求され、その間にタイムスロットｉ内で第１タイプのＰＵＣＣＨのみが送信されている状況で計算された
【００８４】
【数１６】
2020505832.tif 000018
【００８５】
を報告することが必要とされる。状況ｂ：ＵＥがサービングセルｃのタイムスロットｉ内で第１タイプのＰＵＣＣＨよりはむしろＰＵＳＣＨを送信する場合、ＵＥにより報告されるＰＨＲタイプ１に対応する電力ヘッドルームは、次のとおりである
【００８６】
【数１７】
2020505832.tif 000019
【００８７】
ＵＥは、同時にＰＣＭＡＸ,ｃ(ｉ)を報告する。
【００８８】
ＵＥがサービングセルｃのタイムスロットｉ内で第１タイプのＰＵＣＣＨよりはむしろＰＵＳＣＨを送信する場合、ＵＥにより報告されるＰＨＲタイプ２に対応する電力ヘッドルームは、次のとおりである。
【００８９】
【数１８】
2020505832.tif 000020
【００９０】
ＵＥは、同時にＰＣＭＡＸ,ｃ(ｉ)を報告する。
基地局は、上記のような状況ｂでの数値及び下記のような＜式６＞に基づいて第１タイプのＰＵＣＣＨのみが送信される場合の電力ヘッドルームを計算できる。
【００９１】
【数１９】
2020505832.tif 000021
【００９２】
ここで、
【００９３】
【数２０】
2020505832.tif 000022
【００９４】
はＵＥがサービングセルｃのタイムスロットｉ内で第１タイプのＰＵＣＣＨのみを送信するという仮定の下で計算された第１タイプのＰＵＣＣＨの最大送信電力であり、ここで、
【００９５】
【数２１】
2020505832.tif 000023
【００９６】
は次のような２つの方式により獲得されうる。
一つの方式：
【００９７】
【数２２】
2020505832.tif 000024
【００９８】
はタイムスロットｉ内でＰＵＳＣＨのみが送信されるという仮定の下に計算されたＰＣＭＡＸ,ｃ(ｉ)に等しいと見なされ、ＰＨＲタイプ２を報告する場合に
【００９９】
【数２３】
2020505832.tif 000025
【０１００】
を別に報告することは不要である。
【０１０１】
他の方式：ＵＥがＰＨＲタイプ１を報告する場合、タイムスロットｉ内でＰＵＳＣＨのみが送信されている状況で計算されたＰＣＭＡＸ,ｃ(ｉ)を報告することが要求される。ＵＥがＰＨＲタイプ２を報告する場合、タイムスロットｉ内でＰＵＳＣＨが送信されている状況で計算されたＰＣＭＡＸ,ｃ(ｉ)を報告することが必要とされ、その間にタイムスロットｉ内で第１タイプのＰＵＣＣＨのみが送信されている状況で計算された
【０１０２】
【数２４】
2020505832.tif 000026
【０１０３】
を報告することが必要とされる。
【０１０４】
状況ｃ：ＵＥがサービングセルｃのタイムスロットｉ内でＰＵＳＣＨよりはむしろ第１タイプのＰＵＣＣＨを送信する場合、ＵＥにより報告されるＰＨＲタイプ１に対応する電力ヘッドルームは、次のとおりである。
【０１０５】
【数２５】
2020505832.tif 000027
【０１０６】
ＵＥは、同時に
【０１０７】
【数２６】
2020505832.tif 000028
【０１０８】
を報告する。
ここで、
【０１０９】
【数２７】
2020505832.tif 000029
【０１１０】
はＭＰＲ＝０ｄＢ、Ａ-ＭＰＲ＝０ｄＢ、Ｐ-ＭＰＲ＝０ｄＢ、及びΔＴＣ＝０ｄＢである仮定の下で計算されたＰＵＳＣＨの最大送信電力である。
【０１１１】
ＵＥがサービングセルｃのタイムスロットｉ内でＰＵＳＣＨよりはむしろ第１タイプのＰＵＣＣＨを送信する場合、ＵＥにより報告されるＰＨＲタイプ２の対応する電力ヘッドルームは、次のとおりである。
【０１１２】
【数２８】
2020505832.tif 000030
【０１１３】
ＵＥは同時にＰＣＭＡＸ,ｃ(ｉ) を報告する。
【０１１４】
基地局は、上記のような状況ｃでの数値及び＜式９＞に基づいて第１タイプのＰＵＣＣＨのみが送信される場合の電力ヘッドルームを計算することができ、電力ヘッドルームは次のとおりである。
【０１１５】
【数２９】
2020505832.tif 000031
【０１１６】
状況ｄ：ＵＥがサービングセルｃのタイムスロットｉ内で第１タイプのＰＵＣＣＨ及びＰＵＳＣＨを送信しない場合、ＵＥにより報告されるＰＨＲタイプ１に対応する電力ヘッドルームは次のとおりである。
【０１１７】
【数３０】
2020505832.tif 000032
【０１１８】
ＵＥは、同時に
【０１１９】
【数３１】
2020505832.tif 000033
【０１２０】
を報告する。
【０１２１】
ＵＥがサービングセルｃのタイムスロットｉ内で第１タイプのＰＵＣＣＨ及びＰＵＳＣＨを送信しない場合、ＵＥにより報告されるＰＨＲタイプ２に対応する電力ヘッドルームは次のとおりである。
【０１２２】
【数３２】
2020505832.tif 000034
【０１２３】
ＵＥは、同時に
【０１２４】
【数３３】
2020505832.tif 000035
【０１２５】
を報告する。
【０１２６】
基地局は、上記のような状況ｄでの数値及び＜式１２＞に基づいて第１タイプのＰＵＣＣＨのみが送信される場合の電力ヘッドルームを計算でき、電力ヘッドルームは次のとおりである。
【０１２７】
【数３４】
2020505832.tif 000036
【０１２８】
ケース２：ＵＥが同一のタイムスロット内で同時に第１タイプのＰＵＣＣＨ及びＰＵＳＣＨを送信するように構成されない場合、ＵＥは、ＰＨＲタイプ１のみを報告する。
【０１２９】
ＵＥが同一のタイムスロット内で同時に第１タイプのＰＵＣＣＨ及びＰＵＳＣＨを送信するように構成されない場合、基地局がＵＥにより報告されるＰＨＲタイプ１に従って第１タイプのＰＵＣＣＨに対する電力ヘッドルームを計算しない場合、ＵＥは、ＰＨＲタイプ１及びＰＨＲタイプ２を同時に報告する必要があり、その後に基地局は、上記したケース１での方法によって第１タイプのＰＵＣＣＨに対する電力ヘッドルームを計算することが説明されなければならない。
【０１３０】
特に、ＰＨＲのタイプを第２タイプのＰＵＣＣＨに対するＰＨＲタイプ１であると決定する場合、ＰＨＲのタイプに基づいて対応する電力ヘッドルームを決定するステップは、任意のタイムスロット内で送信されている第２タイプのＰＵＣＣＨのみの状況に基づいて任意のタイムスロットでの第２タイプのＰＵＣＣＨの最大送信電力が決定され、任意のタイムスロット内で送信されている第２タイプのＰＵＣＣＨの状況に基づいて任意のタイムスロットでの第２タイプのＰＵＣＣＨの実際の送信電力が決定され、任意のタイムスロットでの第２タイプのＰＵＣＣＨの最大送信電力と任意のタイムスロットでの第２タイプのＰＵＣＣＨの実際の送信電力に基づいて、第２タイプのＰＵＣＣＨに対するＰＨＲタイプ１の電力ヘッドルームが決定されることを含む。
【０１３１】
シナリオ２：図５に示すように、送信されるＰＵＣＣＨのタイプが第２タイプのＰＵＣＣＨであり、送信される第２タイプのＰＵＣＣＨと送信されるＰＵＳＣＨが時間分割多重化により送信される場合、ＰＨＲのタイプは、ＰＨＲタイプ１及び第２タイプのＰＵＣＣＨに対するＰＨＲタイプ１として決定される。
【０１３２】
第２タイプのＰＵＣＣＨに対して、第２タイプのＰＵＣＣＨに対するＰＨＲタイプ１に対応する電力ヘッドルームがＵＥにより報告され、特に、これは次のとおりである。
【０１３３】
【数３５】
2020505832.tif 000037
【０１３４】
ＵＥは同時に
【０１３５】
【数３６】
2020505832.tif 000038
【０１３６】
を報告する。
ここで、
【０１３７】
【数３７】
2020505832.tif 000039
【０１３８】
は、ＵＥがサービングセルｃのタイムスロットｉ内で第２タイプのＰＵＣＣＨのみを送信するという仮定に下で計算された第２タイプのＰＵＣＣＨの最大送信電力であり、パラメータＰ０_ＰＵＣＣＨ、ＰＬｃ、ｈ(ｎＣＱＩ，ｎＨＡＲＱ，ｎＳＲ)、ΔＦ_ＰＵＣＣＨ(Ｆ)、ΔＴｘＤ(Ｆ′)、及びｇ(ｉ)は、第２タイプのＰＵＣＣＨに対して決定される。
【０１３９】
ＰＵＳＣＨに対して、ＵＥにより報告されるＰＨＲタイプ１に対応する電力ヘッドルームは、上記の＜式１＞、＜式４＞、＜式７＞、及び＜式１０＞における対応する状況により決定される。
【０１４０】
シナリオ２において、ＵＥが同時に同一のタイムスロット内で第２タイプのＰＵＣＣＨとＰＵＳＣＨを送信するように構成され、ＵＥが第２タイプのＰＵＣＣＨに対するＰＨＲタイプ１及びＰＨＲタイプ１を報告することが説明されなければならない。
【０１４１】
シナリオ３：図６に示すように、送信されるＰＵＣＣＨのタイプが第２タイプのＰＵＣＣＨであり、送信される第２タイプのＰＵＣＣＨと送信されるＰＵＳＣＨが周波数分割多重化を使用して送信される場合、ＰＨＲのタイプは、第２タイプのＰＵＣＣＨに対するＰＨＲタイプ１及びＰＨＲタイプ１、又はＰＨＲタイプ１及びＰＨＲタイプ２として決定される。
第２タイプのＰＵＣＣＨに対して、ＰＨＲタイプに対応する電力ヘッドルームは下記の２つの方式により決定される。
方式１：ＵＥは第２タイプのＰＵＣＣＨに対するＰＨＲタイプ１を報告し、このタイプに対応する電力ヘッドルームは次のとおりである。
【０１４２】
【数３８】
2020505832.tif 000040
【０１４３】
ＵＥは同時に
【０１４４】
【数３９】
2020505832.tif 000041
【０１４５】
を報告する。
【０１４６】
ＰＵＳＣＨに対して、ＵＥにより報告されるＰＨＲタイプ１に対応する電力ヘッドルームは上記の＜式１＞、＜式４＞、＜式７＞、及び＜式１０＞の対応する状況により決定される。
【０１４７】
シナリオ３の方式１において、ＵＥが同時に同一のタイムスロット内で第２タイプのＰＵＣＣＨとＰＵＳＣＨを送信するように構成され、ＵＥが第２タイプのＰＵＣＣＨに対するＰＨＲタイプ１及びＰＨＲタイプ１を報告することが説明されなければならない。
【０１４８】
方式２：ＵＥは、ＰＨＲタイプ１及びＰＨＲタイプ２を報告し、２つのタイプに対応する電力ヘッドルームは、上記の＜式１＞、＜式２＞、＜式４＞、＜式５＞、＜式７＞、＜式８＞、＜式１０＞、及び＜式１１＞の対応する状況により決定される。ここで、上記の数式中の第１タイプのＰＵＣＣＨに関連するパラメータの全部は、第２タイプのＰＵＣＣＨに関連するパラメータに置き換えられる。
【０１４９】
シナリオ３の方式２で、ＵＥが同時に同一のタイムスロット内で第２タイプのＰＵＣＣＨとＰＵＳＣＨを送信するように構成され、ＵＥがＰＨＲタイプ１及びＰＨＲタイプ２を報告することが説明されなければならない。
【０１５０】
図７に示すようなシナリオ４：送信されるＰＵＣＣＨのタイプが第１タイプのＰＵＣＣＨ又は第２タイプのＰＵＣＣＨであり、第１タイプのＰＵＣＣＨ又は第２タイプのＰＵＣＣＨが同一のタイムスロット内で送信される場合、送信される第１タイプのＰＵＣＣＨ及び送信されるＰＵＳＣＨは周波数分割多重化を用いて送信され、送信される第２タイプのＰＵＣＣＨ及び送信されるＰＵＳＣＨは時分割多重化を使用して送信され、ＰＨＲのタイプはＰＨＲタイプ１及びＰＨＲタイプ２、及び/又は第２タイプのＰＵＣＣＨに対するＰＨＲタイプ１及びＰＨＲタイプ１として決定される。
【０１５１】
第１タイプのＰＵＣＣＨに対して、ＵＥは、ＰＨＲタイプ１及びＰＨＲタイプ２を報告し、２つのタイプに対応する電力ヘッドルームは、上記の＜式１＞、＜式２＞、＜式４＞、＜式５＞、＜式７＞、＜式８＞、＜式１０＞、及び＜式１１＞の対応する状況により決定される。
【０１５２】
シナリオ４において、ＵＥが同時に同一のタイムスロット内で第１タイプのＰＵＣＣＨとＰＵＳＣＨを送信するように構成され、ＵＥがＰＨＲタイプ１及びＰＨＲタイプ２を報告することが説明されなければならない。
【０１５３】
第２タイプのＰＵＣＣＨに対して、ＵＥにより報告される第２タイプのＰＵＣＣＨに対するＰＨＲタイプ１の電力ヘッドルームは次のとおりである。
【０１５４】
【数４０】
2020505832.tif 000042
【０１５５】
ＵＥは同時に
【０１５６】
【数４１】
2020505832.tif 000043
【０１５７】
を報告する。
【０１５８】
ここで、
【０１５９】
【数４２】
2020505832.tif 000044
【０１６０】
はＵＥがサービングセルｃのタイムスロットｉ内で第２タイプのＰＵＣＣＨのみを送信するという仮定の下に計算された第２タイプのＰＵＣＣＨの最大送信電力であり、パラメータＰ０_ＰＵＣＣＨ、ＰＬｃ、ｈ(ｎＣＱＩ，ｎＨＡＲＱ，ｎＳＲ)、ΔＦ_ＰＵＣＣＨ(Ｆ)、ΔＴｘＤ(Ｆ′)、及びｇ(ｉ)は第２タイプのＰＵＣＣＨに対して決定される。
【０１６１】
ＰＵＳＣＨに対して、ＵＥにより報告されるＰＨＲタイプ１に対応する電力ヘッドルームは、上記の＜式１＞、＜式４＞、＜式７＞、及び＜式１０＞の対応する状況により決定される。
【０１６２】
シナリオ４において、ＵＥが同時に同一のタイムスロット内で第２タイプのＰＵＣＣＨとＰＵＳＣＨを送信するように構成され、ＵＥが第２タイプのＰＵＣＣＨに対するＰＨＲタイプ１及びＰＨＲタイプ１を報告することが説明されなければならない。
このとき、第１タイプのＰＵＣＣＨ及び第２タイプのＰＵＣＣＨの各々に対して報告されることを必要とする２個のＰＨＲが存在する。
【０１６３】
図８に示すようなシナリオ５：送信されるＰＵＣＣＨのタイプが第１タイプのＰＵＣＣＨ又は第２タイプのＰＵＣＣＨであり、第１タイプのＰＵＣＣＨ又は第２タイプのＰＵＣＣＨが同一のタイムスロット内で送信され、送信される第１タイプのＰＵＣＣＨ及び送信されるＰＵＳＣＨは周波数分割多重化を使用して送信され、送信される第２タイプのＰＵＣＣＨ及び送信されるＰＵＳＣＨは周波数分割多重化を用いて送信される場合、ＰＨＲのタイプは、ＰＨＲタイプ１及びＰＨＲタイプ２、及び/又はＰＨＲタイプ１及び第２タイプのＰＵＣＣＨに対するＰＨＲタイプ１として決定される。
【０１６４】
第１タイプのＰＵＣＣＨに対して、ＵＥはＰＨＲタイプ１及びＰＨＲタイプ２を報告し、それに対応する電力ヘッドルームは、上記の＜式１＞、＜式２＞、＜式４＞、＜式５＞、＜式７＞、＜式８＞、＜式１０＞、及び＜式１１＞での対応する状況に従って決定される。
【０１６５】
シナリオ５において、ＵＥが同時に同一のタイムスロット内で第１タイプのＰＵＣＣＨとＰＵＳＣＨを送信するように構成され、ＵＥがＰＨＲタイプ１及びＰＨＲタイプ２を報告することが説明されなければならない。
第２タイプのＰＵＣＣＨに対して、ＰＨＲタイプに対応する電力ヘッドルームは下記の２つの方式により決定される。
【０１６６】
方式１：ＵＥは第２タイプのＰＵＣＣＨに対するＰＨＲタイプ１を報告し、このタイプに対応する電力ヘッドルームは次のとおりである。
【０１６７】
【数４３】
2020505832.tif 000045
【０１６８】
ＵＥは同時に
【０１６９】
【数４４】
2020505832.tif 000046
【０１７０】
を報告する。
【０１７１】
ＰＵＳＣＨに対して、ＵＥはＰＨＲタイプ１を報告し、このタイプに対応する電力ヘッドルームは上記の＜式１＞、＜式４＞、＜式７＞、及び＜式１０＞の状況に従って決定される。
【０１７２】
ケース５の方式１において、ＵＥが同時に同一のタイムスロット内で第２タイプのＰＵＣＣＨとＰＵＳＣＨを送信するように構成され、ＵＥが第２タイプのＰＵＣＣＨに対するＰＨＲタイプ１及びＰＨＲタイプ１を報告することが説明されなければならない。
【０１７３】
方式２：ＵＥはＰＨＲタイプ１及びＰＨＲタイプ２を報告し、２つのタイプに対応する電力ヘッドルームは、上記の＜式１＞、＜式２＞、＜式４＞、＜式５＞、＜式７＞、＜式８＞、＜式１０＞、及び＜式１１＞の対応する状況により決定される。ここで、上記の数式中の第１タイプのＰＵＣＣＨに関連されるパラメータの全部は、第２タイプのＰＵＣＣＨに関連するパラメータに置き換えられる。
【０１７４】
シナリオ５の方式２において、ＵＥが同時に同一のタイムスロット内で第２タイプのＰＵＣＣＨとＰＵＳＣＨを送信するように構成され、ＵＥがＰＨＲタイプ１及びＰＨＲタイプ２を報告することが説明されなければならない。このとき、第１タイプのＰＵＣＣＨ及び第２タイプのＰＵＣＣＨの各々に対して、２個のＰＨＲが報告される必要がある。
【０１７５】
図９に示すようなシナリオ６：送信されるＰＵＣＣＨのタイプが第１タイプのＰＵＣＣＨ及び/又は第２タイプのＰＵＣＣＨであり、第１タイプのＰＵＣＣＨ及び第２タイプのＰＵＣＣＨが同一のタイムスロット内で同時に送信され、送信される第１タイプのＰＵＣＣＨ及び送信されるＰＵＳＣＨは周波数分割多重化を使用して送信され、送信される第２タイプのＰＵＣＣＨ及び送信されるＰＵＳＣＨは時分割多重化を使用して送信され、送信される第１タイプのＰＵＣＣＨ及び送信される第２タイプのＰＵＣＣＨが時間においてオーバーラップされない場合、ＰＨＲのタイプは、ＰＨＲタイプ１及びＰＨＲタイプ２、及び/又はＰＨＲタイプ１及び第２タイプのＰＵＣＣＨに対するＰＨＲタイプ１として決定される。
【０１７６】
第１タイプのＰＵＣＣＨに対して、ＵＥは、ＰＨＲタイプ１及びＰＨＲタイプ２を報告し、２つのタイプに対応する電力ヘッドルームは、上記の＜式１＞、＜式２＞、＜式４＞、＜式５＞、＜式７＞、＜式８＞、＜式１０＞、及び＜式１１＞の対応する状況により決定される。
【０１７７】
シナリオ６において、ＵＥが同時に同一のタイムスロット内で第１タイプのＰＵＣＣＨとＰＵＳＣＨを送信するように構成され、ＵＥがＰＨＲタイプ１及びＰＨＲタイプ２を報告することが説明されなければならない。
第２タイプのＰＵＣＣＨに対して、ＵＥにより報告される第２タイプのＰＵＣＣＨに対するＰＨＲタイプ１に対応する電力ヘッドルームは次のとおりである。
【０１７８】
【数４５】
2020505832.tif 000047
【０１７９】
ＵＥは、同時に
【０１８０】
【数４６】
2020505832.tif 000048
【０１８１】
を報告する。
ここで、
【０１８２】
【数４７】
2020505832.tif 000049
【０１８３】
はＵＥがサービングセルｃのタイムスロットｉ内で第２タイプのＰＵＣＣＨのみを送信するという仮定の下で計算された第２タイプのＰＵＣＣＨの最大送信電力であり、パラメータＰ０_ＰＵＣＣＨ、ＰＬｃ、ｈ(ｎＣＱＩ，ｎＨＡＲＱ，ｎＳＲ)、ΔＦ_ＰＵＣＣＨ(Ｆ)、ΔＴｘＤ(Ｆ′)、及びｇ(ｉ)は、第２タイプのＰＵＣＣＨに対して決定される。
【０１８４】
ＰＵＳＣＨに対して、ＵＥは、上記の＜式１＞、＜式４＞、＜式７＞、及び＜式１０＞の対応する状況により決定されるＰＨＲタイプ１に対応する電力ヘッドルームを報告する。
【０１８５】
シナリオ６において、ＵＥが同時に同一のタイムスロット内で第２タイプのＰＵＣＣＨとＰＵＳＣＨを送信するように構成され、ＵＥが第２タイプのＰＵＣＣＨに対するＰＨＲタイプ１及びＰＨＲタイプ１を報告することが説明されなければならない。
このとき、第１タイプのＰＵＣＣＨ及び第２タイプのＰＵＣＣＨの各々に対して、報告されることを必要とする２個のＰＨＲが存在する。
【０１８６】
図１０に示すようなシナリオ７：送信されるＰＵＣＣＨのタイプが第１タイプのＰＵＣＣＨ及び/又は第２タイプのＰＵＣＣＨであり、第１タイプのＰＵＣＣＨ及び第２タイプのＰＵＣＣＨが同一のタイムスロット内で同時に送信され、送信される第１タイプのＰＵＣＣＨ及び送信されるＰＵＳＣＨは周波数分割多重化を使用して送信され、送信される第２タイプのＰＵＣＣＨ及び送信されるＰＵＳＣＨは周波数分割多重化を使用して送信され、送信される第１タイプのＰＵＣＣＨ及び送信される第２タイプのＰＵＣＣＨが時間においてオーバーラップされない場合、このＰＨＲのタイプは、ＰＨＲタイプ１及びＰＨＲタイプ２、及び/又はＰＨＲタイプ１及び第２タイプのＰＵＣＣＨに対するＰＨＲタイプ１として決定される。
【０１８７】
第１タイプのＰＵＣＣＨに対して、ＵＥは、ＰＨＲタイプ１及びＰＨＲタイプ２を報告し、２つのタイプに対応するＰＨＲを上記の＜式１＞、＜式２＞、＜式４＞、＜式５＞、＜式７＞、＜式８＞、＜式１０＞、及び＜式１１＞の対応する状況により決定される。
【０１８８】
シナリオ７において、ＵＥが同時に同一のタイムスロット内で第１タイプのＰＵＣＣＨとＰＵＳＣＨを送信するように構成され、ＵＥがＰＨＲタイプ１及びＰＨＲタイプ２を報告することが説明されなければならない。
第２タイプのＰＵＣＣＨに対して、ＰＨＲタイプに対応する電力ヘッドルームは下記のような２つの方式により決定される。
方式１：ＵＥは第２タイプのＰＵＣＣＨに対するＰＨＲタイプ１を報告し、このタイプに対応する電力ヘッドルームは次のとおりである。
【０１８９】
【数４８】
2020505832.tif 000050
【０１９０】
ＵＥは同時に
【０１９１】
【数４９】
2020505832.tif 000051
【０１９２】
を報告する。
【０１９３】
ＰＵＳＣＨに対して、ＵＥはＰＨＲタイプ１を報告し、このタイプに対応する電力ヘッドルームは上記の＜式１＞、＜式４＞、＜式７＞、及び＜式１０＞の対応する状況により決定される。
【０１９４】
シナリオ７の方式１で、ＵＥが同時に同一のタイムスロット内で第２タイプのＰＵＣＣＨとＰＵＳＣＨを送信するように構成され、ＵＥが第２タイプのＰＵＣＣＨに対するＰＨＲタイプ１及びＰＨＲタイプ１を報告することが説明されなければならない。
【０１９５】
方式２：ＵＥはＰＨＲタイプ１及びＰＨＲタイプ２を報告し、２つのタイプに対応する電力ヘッドルームは上記の＜式１＞、＜式２＞、＜式４＞、＜式５＞、＜式７＞、＜式８＞、＜式１０＞、及び＜式１１＞の対応する状況により決定される。ここで、上記の数式中の第１タイプのＰＵＣＣＨに関連されるパラメータの全部は、第２タイプのＰＵＣＣＨに関連するパラメータに置き換えられる。
【０１９６】
シナリオ７の方式２で、ＵＥが同時に同一のタイムスロット内で第１タイプのＰＵＣＣＨとＰＵＳＣＨを送信するように構成され、ＵＥがＰＨＲタイプ１及びＰＨＲタイプ２を報告することが説明されなければならない。
このとき、第１タイプのＰＵＣＣＨ及び第２タイプのＰＵＣＣＨの各々に対して２個のＰＨＲが報告される必要がある。
【０１９７】
特に、ＰＨＲのタイプが第２タイプのＰＵＣＣＨに対するＰＨＲタイプ２として決定される場合、ＰＨＲのタイプに基づいて対応する電力ヘッドルームを決定するステップは、任意のタイムスロット内で送信されている第１タイプのＰＵＣＣＨと送信されている第２タイプのＰＵＣＣＨの状況に基づいて、任意のタイムスロットでの第２タイプのＰＵＣＣＨの最大送信電力が決定され、任意のタイムスロットでの第２タイプのＰＵＣＣＨの最大送信電力、送信されるＰＵＣＣＨのタイプ及び送信されるタイプに対応する制限電力条件に基づいて、任意のタイムスロットでの対応する制限電力を含まない第２タイプのＰＵＣＣＨの最大送信電力の最大値が決定され、任意のタイムスロット内で送信される第２タイプのＰＵＣＣＨの状況に基づいて、任意のタイムスロットでの第２タイプのＰＵＣＣＨの実際の送信電力が決定され、任意のタイムスロットでの対応する制限電力を含まない第２タイプのＰＵＣＣＨの最大送信電力の最大値と、任意のタイムスロット内での第２タイプのＰＵＣＣＨの実際の送信電力に基づいて、第２タイプのＰＵＣＣＨに対するＰＨＲタイプ２の電力ヘッドルームが決定される。
【０１９８】
図１１に示すようなシナリオ８ａ：送信されるＰＵＣＣＨのタイプが第１タイプのＰＵＣＣＨ及び/又は第２タイプのＰＵＣＣＨであり、第１タイプのＰＵＣＣＨ及び第２タイプのＰＵＣＣＨが同一のタイムスロット内で同時に送信され、送信される第１タイプのＰＵＣＣＨ及び送信されるＰＵＳＣＨが周波数分割多重化を使用して送信され、送信される第２タイプのＰＵＣＣＨ及び送信されるＰＵＳＣＨが時分割多重化を使用して送信され、送信される第１タイプのＰＵＣＣＨ及び送信される第２タイプのＰＵＣＣＨが時間においてオーバーラップされる場合、電力が制限され、第１タイプのＰＵＣＣＨの電力が優先順位を有し、予約電力が設定されない場合、電力ヘッドルームのタイプは、ＰＨＲタイプ１及びＰＨＲタイプ２、及び/又はＰＨＲタイプ１及び第２タイプのＰＵＣＣＨに対するＰＨＲタイプ２として決定される。
【０１９９】
第１タイプのＰＵＣＣＨに対して、ＵＥはＰＨＲタイプ１及びＰＨＲタイプ２を報告し、２つのタイプに対応する電力ヘッドルームは上記の＜式１＞、＜式２＞、＜式４＞、＜式５＞、＜式７＞、＜式８＞、＜式１０＞、及び＜式１１＞の対応する状況により決定される。
【０２００】
シナリオ８ａにおいて、ＵＥが同時に同一のタイムスロット内で第１タイプのＰＵＣＣＨとＰＵＳＣＨを送信するように構成され、ＵＥがＰＨＲタイプ１及びＰＨＲタイプ２を報告することが説明されなければならない。
第２タイプのＰＵＣＣＨに対して、ＵＥは第２タイプのＰＵＣＣＨに対するＰＨＲタイプ２を報告し、それに対応する電力ヘッドルームは次のとおりである。
【０２０１】
【数５０】
2020505832.tif 000052
【０２０２】
ＵＥは同時に
【０２０３】
【数５１】
2020505832.tif 000053
【０２０４】
を報告する。
ここで、
【０２０５】
【数５２】
2020505832.tif 000054
【０２０６】
はＵＥがサービングセルｃのタイムスロットｉ内で第１タイプのＰＵＣＣＨ及び第２タイプのＰＵＣＣＨを送信するという仮定の下で計算された第２タイプのＰＵＣＣＨの最大送信電力である。ここで、ＰＬｏｎｇ_ＰＵＣＣＨは優先順位を有する第１タイプのＰＵＣＣＨの電力であり、パラメータＰ０_ＰＵＣＣＨ、ＰＬｃ、ｈ(ｎＣＱＩ，ｎＨＡＲＱ，ｎＳＲ)、ΔＦ_ＰＵＣＣＨ(Ｆ)、ΔＴｘＤ(Ｆ′)、及びｇ(ｉ)は第２タイプのＰＵＣＣＨに対して決定される。
【０２０７】
シナリオ８ａにおいて、ＵＥは同一のタイムスロット内で同時に第２タイプのＰＵＣＣＨ及びＰＵＳＣＨを送信するように構成され、ＵＥはＰＨＲタイプ１及び第２タイプのＰＵＣＣＨに対するＰＨＲタイプ２を報告することが説明されなければならない。
【０２０８】
特に、ＰＨＲのタイプに基づいて対応する電力ヘッドルームを決定するステップは、送信されるＰＵＣＣＨのタイプ及び送信されるＰＵＣＣＨのタイプの所定の予約電力の対応する制限電力条件に基づいて、送信される第１タイプのＰＵＣＣＨに対して、任意のタイムスロットでの最大送信電力は任意のタイムスロットでの対応する制限電力のない最大送信電力に修正され、任意のタイムスロットでのＰＵＳＣＨの実際の送信電力及び任意のタイムスロットでの対応する制限電力のない最大送信電力に基づいて、送信される第１タイプのＰＵＣＣＨに対するＰＨＲタイプ１の電力ヘッドルーム及びＰＨＲタイプ２の電力ヘッドルームが決定されることを含む。
【０２０９】
特に、第２タイプのＰＵＣＣＨに対するＰＨＲタイプ２に関して、任意のタイムスロットでの第２タイプのＰＵＣＣＨの最大送信電力と、送信されるＰＵＣＣＨのタイプ及び送信されるタイプの対応する制限電力条件に基づいて、任意のタイムスロットでの対応する制限電力のない第２タイプのＰＵＣＣＨの最大送信電力の最大値を決定するステップは、対応する制限電力条件が、電力が制限され、送信される第１タイプのＰＵＣＣＨの電力が優先順位を有し、その間に送信される第２タイプのＰＵＣＣＨの予約電力が設定されない場合に、任意のタイムスロット内で対応する制限電力のない第２タイプのＰＵＣＣＨの最大送信電力の最大値は、第２タイプのＰＵＣＣＨの最大送信電力と任意のタイムスロット内で送信される第１タイプのＰＵＣＣＨの電力との間の差値であり、対応する制限電力条件は、上記電力が制限され、送信される第１タイプのＰＵＣＣＨが優先順位を有し、その間に送信される第２タイプのＰＵＣＣＨの予約された電力が設定される場合に、任意のタイムスロット内で対応する制限電力のない第２タイプのＰＵＣＣＨの最大送信電力の最大値は、第２タイプのＰＵＣＣＨの最大送信電力と任意のタイムスロット内で送信される第１タイプのＰＵＣＣＨの電力との間の差値と第２タイプのＰＵＣＣＨの予約電力との間の最大値として決定されることを含む。
【０２１０】
図１１に示すようなシナリオ８ｂ：送信されるＰＵＣＣＨのタイプが第１タイプのＰＵＣＣＨ及び/又は第２タイプのＰＵＣＣＨであり、第１タイプのＰＵＣＣＨ及び第２タイプのＰＵＣＣＨが同一のタイムスロット内で同時に送信され、送信される第１タイプのＰＵＣＣＨ及び送信されるＰＵＳＣＨが周波数分割多重化を使用して送信され、送信される第２タイプのＰＵＣＣＨ及び送信されるＰＵＳＣＨが時分割多重化を使用して送信され、送信される第１タイプのＰＵＣＣＨ及び送信される第２タイプのＰＵＣＣＨが時間においてオーバーラップされる場合、電力が制限され、第１タイプのＰＵＣＣＨの電力が優先順位を有し、送信される第２タイプのＰＵＣＣＨの予約電力が設定されている場合、ＰＨＲのタイプは、ＰＨＲタイプ１及びＰＨＲタイプ２、及び/又はＰＨＲタイプ１及び第２タイプのＰＵＣＣＨに対するＰＨＲタイプ２として決定される。
【０２１１】
第１タイプのＰＵＣＣＨに対して、ＵＥは、ＰＨＲタイプ１及びＰＨＲタイプ２を報告し、２つのタイプに対応する電力ヘッドルームは上記の＜式１＞、＜式２＞、＜式４＞、＜式５＞、＜式７＞、＜式８＞、＜式１０＞、及び＜式１１＞の対応する状況により決定される。ここで、最大電力ＰＣＭＡＸX,ｃ(ｉ)はＰＣＭＡＸ,ｃ(ｉ)-ＰＣ_Ｒｅｓｅｒｖｅｄ,ｃ(ｉ)に置き換えられ、これは最大電力ＰＣＭＡＸX,ｃ(ｉ)と第２タイプのＰＵＣＣＨの予約電力との間の差値である。
【０２１２】
シナリオ８ｂにおいて、ＵＥが同時に同一のタイムスロット内で第１タイプのＰＵＣＣＨとＰＵＳＣＨを送信するように構成され、ＵＥがＰＨＲタイプ１及びＰＨＲタイプ２を報告することが説明されなければならない。
【０２１３】
第２タイプのＰＵＣＣＨに対して、ＵＥは第２タイプのＰＵＣＣＨに対するＰＨＲタイプ２を報告し、このタイプに対応する電力ヘッドルームは次のとおりである。
【０２１４】
【数５３】
2020505832.tif 000055
【０２１５】
【数５４】
2020505832.tif 000056
が同時に報告される。
【０２１６】
ここで、パラメータＰ０_ＰＵＣＣＨ、ＰＬｃ、ｈ(ｎＣＱＩ，ｎＨＡＲＱ，ｎＳＲ)、ΔＦ_ＰＵＣＣＨ(Ｆ)、ΔＴｘＤ(Ｆ′)、及びｇ(ｉ)は第２タイプのＰＵＣＣＨに対して決定される。
【０２１７】
シナリオ８ｂにおいて、ＵＥは同一の同じタイムスロット内で同時に第２タイプのＰＵＣＣＨ及びＰＵＳＣＨを送信するように構成され、ＵＥはＰＨＲタイプ１及び第２タイプのＰＵＣＣＨに対するＰＨＲタイプ２を報告することが説明されなければならない。
【０２１８】
特に、ＰＨＲのタイプに基づいて対応する電力ヘッドルームを決定するステップは、送信されるＰＵＣＣＨのタイプ及び送信されるＰＵＣＣＨのタイプの対応する制限電力条件に基づいて、送信される第２タイプのＰＵＣＣＨに対して、任意のタイムスロットでの最大送信電力は任意のタイムスロットでの対応する制限電力のない最大送信電力と任意のタイムスロットでの所定の予約電力との間の最大値に修正され、任意のタイムスロットでのＰＵＳＣＨの実際の送信電力、任意のタイムスロットでの対応するタイプのＰＵＣＣＨの実際の送信電力及び任意のタイムスロットでの対応する制限電力のない最大送信電力と任意のタイムスロット内での所定の予約電力との間の最大値に従って、送信される第２タイプのＰＵＣＣＨに対するＰＨＲタイプ１の電力ヘッドルーム及びＰＨＲタイプ２の電力ヘッドルームが決定されることも含む。
【０２１９】
送信されるＰＵＣＣＨのタイプ及び送信されるＰＵＣＣＨのタイプの対応する制限電力条件に基づいて、送信される第２タイプのＰＵＣＣＨに対して、任意のタイムスロットでの最大送信電力を任意のタイムスロットでの対応する制限電力を有しない最大送信電力と任意のタイムスロットでの所定の予約電力との間の最大値に修正するステップは、対応する制限電力条件が、電力が制限され、送信される第１タイプのＰＵＣＣＨの電力が優先順位を有し、その間に送信される第２タイプのＰＵＣＣＨの予約電力が設定されない場合、任意のタイムスロットでの最大送信電力は任意のタイムスロットでの最大送信電力と優先順位を有する送信される第１タイプのＰＵＣＣＨの電力との間の差値に修正され、対応する制限電力条件が、電力が制限され、送信される第１タイプのＰＵＣＣＨの電力が優先順位を有し、その間に送信される第２タイプのＰＵＣＣＨの予約された電力が設定されている場合、任意のタイムスロットでの最大送信電力は任意のタイムスロットでの最大送信電力と優先順位を有する、送信される第１タイプのＰＵＣＣＨの電力との間の差値と送信される第２タイプのＰＵＣＣＨが予約電力との間の最大値に修正されることを含む。
【０２２０】
図１２に示すようなシナリオ９ａ：送信されるＰＵＣＣＨのタイプが第１タイプのＰＵＣＣＨ及び/又は第２タイプのＰＵＣＣＨで、第１タイプのＰＵＣＣＨ及び第２タイプのＰＵＣＣＨが同一のタイムスロット内で同時に送信され、送信される第１タイプのＰＵＣＣＨ及び送信されるＰＵＳＣＨが周波数分割多重化を使用して送信され、送信される第２タイプのＰＵＣＣＨ及び送信されるＰＵＳＣＨが周波数分割多重化を用いて送信され、送信される第１タイプのＰＵＣＣＨ及び送信される第２タイプのＰＵＣＣＨが時間においてオーバーラップされる場合、電力が制限され、第１タイプのＰＵＣＣＨの電力が優先順位を有し、その間に送信される第２タイプのＰＵＣＣＨの予約電力が設定されない場合、ＰＨＲのタイプはＰＨＲタイプ１及びＰＨＲタイプ２、及び/又はＰＨＲタイプ１及び第２タイプのＰＵＣＣＨに対するＰＨＲタイプ２に決定される。
【０２２１】
第１タイプのＰＵＣＣＨに対して、ＵＥはＰＨＲタイプ１及びＰＨＲタイプ２を報告し、２つのタイプに対応する電力ヘッドルームは上記の＜式１＞、＜式２＞、＜式４＞、＜式５＞、＜式７＞、＜式８＞、＜式１０＞、及び＜式１１＞での対応する状況により決定される。
【０２２２】
シナリオ９ａで、ＵＥが同時に同一のタイムスロット内で第１タイプのＰＵＣＣＨとＰＵＳＣＨを送信するように構成され、ＵＥがＰＨＲタイプ１及びＰＨＲタイプ２を報告することが説明されなければならない。
第２タイプのＰＵＣＣＨに対して、ＰＨＲのタイプに対応するＰＨＲは下記のような２つの方式により決定される。
方式１：ＵＥは第２タイプのＰＵＣＣＨに対するＰＨＲタイプ２を報告し、このタイプに対応する電力ヘッドルームは次のとおりである。
【０２２３】
【数５５】
2020505832.tif 000057
【０２２４】
そして、ＵＥは同時に
【０２２５】
【数５６】
2020505832.tif 000058
【０２２６】
を報告する。
ここで、
【０２２７】
【数５７】
2020505832.tif 000059
【０２２８】
はＵＥがサービングセルｃのタイムスロットｉ内で第１タイプのＰＵＣＣＨ及び第２タイプのＰＵＣＣＨを送信するという仮定の下で計算された第２タイプのＰＵＣＣＨの最大送信電力である。ここで、ＰＬｏｎｇ_ＰＵＣＣＨは優先順位を有する第１タイプのＰＵＣＣＨの電力であり、これらパラメータＰ０_ＰＵＣＣＨ、ＰＬｃ、ｈ(ｎＣＱＩ，ｎＨＡＲＱ，ｎＳＲ)、ΔＦ_ＰＵＣＣＨ(Ｆ)、ΔＴｘＤ(Ｆ′)、及びｇ(ｉ)は第２タイプのＰＵＣＣＨに対して決定される。
【０２２９】
シナリオ９ａにおいて、ＵＥが同時に同一のタイムスロット内で第２タイプのＰＵＣＣＨとＰＵＳＣＨを送信するように構成され、ＵＥがＰＨＲタイプ１及び第２タイプのＰＵＣＣＨに対するＰＨＲタイプ２を報告することが説明されなければならない。
【０２３０】
方式２：ＵＥはＰＨＲタイプ１及びＰＨＲタイプ２を報告し、２つのタイプに対応する電力ヘッドルームは上記の＜数１＞、＜数２＞、＜数４＞、＜数５＞、＜数７＞、＜数８＞、＜数１０＞、及び＜数１１＞での対応する状況により決定される。ここで、上記の数式中の第１タイプのＰＵＣＣＨに関連されるパラメータの全部は第２タイプのＰＵＣＣＨに関連されるパラメータに置き換えられ、最大電力ＰＣＭＡＸ,ｃ(ｉ)はＰＣＭＡＸ,ｃ(ｉ)-ＰＬｏｎｇ_ＰＵＣＣＨに置き換えられた。
【０２３１】
シナリオ９ａにおいて、ＵＥが同時に同一のタイムスロット内で第２タイプのＰＵＣＣＨとＰＵＳＣＨを送信するように構成され、ＵＥがＰＨＲタイプ１及びＰＨＲ  タイプ２を報告することが説明されなければならない。
【０２３２】
図１２に示すようなシナリオ９ｂ：送信されるＰＵＣＣＨのタイプが第１タイプのＰＵＣＣＨ及び/又は第２タイプのＰＵＣＣＨであり、第１タイプのＰＵＣＣＨ及び第２タイプのＰＵＣＣＨが同一のタイムスロット内で同時に送信され、送信される第１タイプのＰＵＣＣＨ及び送信されるＰＵＳＣＨが周波数分割多重化を使用して送信され、送信される第２タイプのＰＵＣＣＨ及び送信されるＰＵＳＣＨが周波数分割多重化を使用して送信され、送信される第１タイプのＰＵＣＣＨ及び送信される第２タイプのＰＵＣＣＨが時間においてオーバーラップされる場合、そして電力が制限され、第１タイプのＰＵＣＣＨの電力が優先順位を有し、送信される第２タイプのＰＵＣＣＨの予約電力が設定されている場合、ＰＨＲのタイプはＰＨＲタイプ１及びＰＨＲタイプ２、及び/又はＰＨＲタイプ１及び第２タイプのＰＵＣＣＨに対するＰＨＲタイプ２として決定される。
【０２３３】
第１タイプのＰＵＣＣＨに対して、ＵＥはＰＨＲタイプ１及びＰＨＲタイプ２を報告し、２つのタイプに対応する電力ヘッドルームは上記の＜式１＞、＜式２＞、＜式４＞、＜式５＞、＜式７＞、＜式８＞、＜式１０＞、及び＜式１１＞での対応する状況により決定され、最大電力ＰＣＭＡＸ,ｃ(ｉ)はＰＣＭＡＸ,ｃ(ｉ)-ＰＣ_Ｒｅｓｅｒｖｅｄ(ｉ)に置き換えられた。
【０２３４】
シナリオ９ｂにおいて、ＵＥが同時に同一のタイムスロット内で第１タイプのＰＵＣＣＨとＰＵＳＣＨを送信するように構成され、ＵＥがＰＨＲタイプ１及びＰＨＲタイプ２を報告することが説明されなければならない。
第２タイプのＰＵＣＣＨに対して、ＰＨＲのタイプに対応する電力ヘッドルームは、下記のような２つの方式として決定される。
【０２３５】
方式１：第２タイプのＰＵＣＣＨに対して、ＵＥは第２タイプのＰＵＣＣＨに対するＰＨＲタイプ２を報告し、このタイプに対応する電力ヘッドルームは次のとおりである。
【０２３６】
【数５８】
2020505832.tif 000060
【０２３７】
【数５９】
2020505832.tif 000061
【０２３８】
が同時に報告される。
【０２３９】
ここで、これらパラメータＰ０_ＰＵＣＣＨ、ＰＬｃ、ｈ(ｎＣＱＩ，ｎＨＡＲＱ，ｎＳＲ)、ΔＦ_ＰＵＣＣＨ(Ｆ)、ΔＴｘＤ(Ｆ′)、及びｇ(ｉ)は第２タイプのＰＵＣＣＨに対して決定される。
【０２４０】
シナリオ９ｂの方式１で、ＵＥが同時に同一のタイムスロット内で第２タイプのＰＵＣＣＨとＰＵＳＣＨを送信するように構成され、ＵＥがＰＨＲタイプ１及び第２タイプのＰＵＣＣＨに対するＰＨＲタイプ２を報告することが説明されなければならない。
【０２４１】
方式２：ＵＥはＰＨＲタイプ１及びＰＨＲタイプ２を報告し、２つのタイプに対応する電力ヘッドルームは上記の＜式１＞、＜式２＞、＜式４＞、＜式５＞、＜式７＞、＜式８＞、＜式１０＞、及び＜式１１＞での対応する状況により決定される。ここで、上記の数式中の第１タイプのＰＵＣＣＨに関連するパラメータの全部は、第２タイプのＰＵＣＣＨに関連するパラメータに置き換えられ、最大電力ＰＣＭＡＸ,ｃ(ｉ)は｛(ＰＣＭＡＸ,ｃ(ｉ)-ＰＬｏｎｇ_ＰＵＣＣＨ),ＰＣ_Ｒｅｓｅｒｖｅｄ,ｃ｝に置き換えられる。
【０２４２】
シナリオ９ｂの方式２で、ＵＥが同時に同一のタイムスロット内で第２タイプのＰＵＣＣＨとＰＵＳＣＨを送信するように構成され、ＵＥがＰＨＲタイプ１及びＰＨＲタイプ２を報告することが説明されなければならない。
各シナリオでチャンネル送信タイプで言及されないチャンネルタイプは、チャンネルタイプで送信が存在しないと見なされることが説明されなければならない。
図１３は、本発明の他の実施形態の電力ヘッドルームを報告する報告デバイスの構造的フレームワークを示す概略図である。
【０２４３】
報告デバイスは、情報決定モジュール及び情報報告モジュールを含む。ここで、情報決定モジュールは、送信されるＰＵＣＣＨのタイプに基づいてＰＨＲのタイプを決定するように構成され、情報報告モジュールは、ＰＨＲのタイプに基づいて対応する電力ヘッドルームを決定してＰＨＲを報告するように構成される。
【０２４４】
当該技術分野の当業者により、本発明が説明するような一つあるいはそれ以上の動作を実行するデバイスを含むことが理解されなければならない。そのようなデバイスは、意図により特に設計され生産され、あるいは汎用コンピュータに公知されているデバイスを含むことができる。これらデバイスは、その内部に格納されているコンピュータプログラムを有し、これは選択的にアクティブされるか、あるいは再構成される。このようなコンピュータプログラムは、各々バスに接続される、(コンピュータのような)デバイス読み取り可能なメディア又は電子命令を格納するのに適合した任意のタイプのメディアに格納され、コンピュータ読み取り可能なメディアは (フロッピーディスク、ハードディスク、光学ディスク、ＣＤ-ＲＯＭ、及び光磁気ディスクを含む)任意のタイプのディスク、ＲＯＭ(Read-Only  Memory)、ＲＡＭ(Random  Access  Memory)、ＥＰＲＯＭ(Erasable  Programmable  Read-Only  Memory)、ＥＥＰＲＯＭ(Electrically  Erasable  Programmable  Read-Only  Memory)、フラッシュメモリ、磁気カード、又は光ラインカードを含むが、これに限定されるものではない。すなわち、読み取り可能なメディアは、デバイス(例えば、コンピュータ)読み取り可能な形態で情報を格納又は送信するメディアを含む。
【０２４５】
構造チャート及び/又はブロック構成図及び/又はフローチャートの説明の各ブロック及び構造チャート及び/又はブロック構成図及び/又はフローチャートの説明などの組合せは、コンピュータプログラム命令により実現されることは当業者にはわかることである。さらに、コンピュータプログラム命令は、構造チャート及び/又はブロック構成図及び/又はフローチャートの説明のうちいずれか一つ以上のブロックで明示される方式がコンピュータあるいはデータ処理方法をプログラミングできる他のプロセッサにより実現されるように汎用コンピュータ、専用コンピュータあるいは実現のためのデータ処理方法をプログラミングできる他のプロセッサに提供可能であることは、該当技術分野における知識を持った者には理解されることである。
【０２４６】
本発明で説明されたようなフロー、方策(measure)、及び方式での多様な動作、方法、及び過程は代替、変更、結合、あるいは削除が可能であることは、当業者にはわかることである。その上、本発明で説明されたようなフロー、方策、及び方式での多様な動作、方法、及び過程は追加的に代替され、変更され、あるいは再配列される。さらに、従来技術で、本発明で説明されたようなフロー、方策、及び方式での多様な動作、方法、及び過程は追加的に代替、変更、再配列、分離、結合、あるいは削除が可能である。
【０２４７】
以上、本発明の詳細な説明においては具体的な実施形態に関して説明したが、特許請求の範囲の記載及びこれと均等なものに基づいて定められる本発明の範囲及び精神を逸脱することなく、形式や細部の様々な変更が可能であることは、当該技術分野における通常の知識を持つ者には明らかである。
【図１】
2020505832.tif 000062
【図２】
2020505832.tif 000063
【図３】
2020505832.tif 000064
【図４】
2020505832.tif 000065
【図５】
2020505832.tif 000066
【図６】
2020505832.tif 000067
【図７】
2020505832.tif 000068
【図８】
2020505832.tif 000069
【図９】
2020505832.tif 000070
【図１０】
2020505832.tif 000071
【図１１】
2020505832.tif 000072
【図１２】
2020505832.tif 000073
【図１３】
2020505832.tif 000074
【手続補正書】
【提出日】令和1年7月25日(2019.7.25)
【手続補正１】
【補正対象書類名】特許請求の範囲
【補正対象項目名】全文
【補正方法】変更
【補正の内容】
【特許請求の範囲】
【請求項１】
電力ヘッドルーム報告(ＰＨＲ)を報告する方法であって、
送信される物理アップリンク制御チャンネル(ＰＵＣＣＨ）のタイプに基づいて前記ＰＨＲのタイプを決定するステップと、
前記ＰＨＲのタイプに基づいて対応する電力ヘッドルームを決定し、前記ＰＨＲを報告するステップと、
を有することを特徴とする方法。
【請求項２】
前記ＰＵＣＣＨのタイプは第１タイプのＰＵＣＣＨ及び第２タイプのＰＵＣＣＨに分類され、
前記第１タイプのＰＵＣＣＨは少なくとも一つのタイムスロット内の少なくとも一つの直交周波数分割多重化(ＯＦＤＭ)シンボル内に位置し、占有されるＯＦＤＭシンボルの個数は所定個数よりも多く、
前記第２タイプのＰＵＣＣＨは少なくとも一つのタイムスロット内の少なくとも一つのＯＦＤＭシンボル内に位置し、前記占有されるＯＦＤＭシンボルの個数は前記所定個数よりも少ない又は等しいことを特徴とする請求項１に記載の方法。
【請求項３】
前記ＰＨＲのタイプは、ＰＨＲタイプ１、ＰＨＲタイプ２、前記第２タイプのＰＵＣＣＨに対するＰＨＲタイプ１又は前記第２タイプのＰＵＣＣＨに対するＰＨＲタイプ２のうち少なくとも一つを含むことを特徴とする請求項２に記載の方法。
【請求項４】
前記送信されるＰＵＣＣＨのタイプに基づいて前記ＰＨＲのタイプを決定するステップは、
ＰＵＳＣＨ及び前記第１タイプのＰＵＣＣＨが任意のタイムスロット内で同時に送信されるように構成される場合、前記ＰＨＲのタイプが、
前記ＰＨＲタイプ１及び前記ＰＨＲタイプ２、
前記ＰＨＲタイプ１及び前記第２タイプのＰＵＣＣＨに対するＰＨＲタイプ１、または
前記ＰＨＲタイプ１及び前記第２タイプのＰＵＣＣＨに対するＰＨＲタイプ２のうち少なくとも一つの組合せを含むと決定するステップと、
前記ＰＵＳＣＨ及び前記第２タイプのＰＵＣＣＨが任意のタイムスロットで同時に送信されるように構成される場合、前記ＰＨＲのタイプが、
前記ＰＨＲタイプ１及び前記ＰＨＲタイプ２、
前記ＰＨＲタイプ１及び前記第２タイプのＰＵＣＣＨに対するＰＨＲタイプ１、または
前記ＰＨＲタイプ１及び前記第２タイプのＰＵＣＣＨに対するＰＨＲタイプ２のうち少なくとも一つの組合せを含むと決定するステップと、
を有することを特徴とする請求項３に記載の方法。
【請求項５】
前記送信されるＰＵＣＣＨのタイプに基づいて前記ＰＨＲのタイプを決定するステップは、
前記ＰＵＳＣＨと前記第１タイプのＰＵＣＣＨが任意のタイムスロット内で同時に送信され、前記送信されるＰＵＣＣＨのタイプが前記第１タイプのＰＵＣＣＨであり、前記送信される第１タイプのＰＵＣＣＨ及び送信されるＰＵＳＣＨが周波数分割多重化を用いて送信されるように構成されない場合、前記ＰＨＲのタイプを前記ＰＨＲタイプ１として決定するステップを有することを特徴とする請求項３に記載の方法。
【請求項６】
前記ＰＨＲのタイプが前記ＰＨＲタイプ１として決定される場合に前記ＰＨＲのタイプに基づいて前記対応する電力ヘッドルームを決定するステップは、
任意のタイムスロット内で送信される前記ＰＵＳＣＨの状況に基づいて前記任意のタイムスロットでのＰＵＳＣＨの実際の送信電力を決定するステップと、
任意のタイムスロット内で送信される前記ＰＵＳＣＨ及びＰＵＣＣＨの状況に基づいて前記任意のタイムスロットでのＰＵＳＣＨの最大送信電力を決定するステップと、
前記ＰＨＲタイプ１である前記ＰＨＲの決定されたタイプに基づいて、そして前記任意のタイムスロットでのＰＵＳＣＨの実際の送信電力及び前記任意のタイムスロットでＰＵＳＣＨの最大送信電力との組合せで前記対応する電力ヘッドルームを決定するステップと、
を有することを特徴とする請求項４又は請求項５に記載の方法。
【請求項７】
前記ＰＨＲのタイプが前記ＰＨＲタイプ２として決定される場合、前記ＰＨＲのタイプに基づいて前記対応する電力ヘッドルームを決定するステップは、
任意のタイムスロット内で送信される前記ＰＵＳＣＨの状況に基づいて前記任意のタイムスロットでのＰＵＳＣＨの実際の送信電力を決定するステップと、
任意のタイムスロット内で送信される前記第１タイプのＰＵＣＣＨ又は前記第２タイプのＰＵＣＣＨの状況に基づいて前記任意のタイムスロットでの前記第１タイプのＰＵＣＣＨ又は前記第２タイプのＰＵＣＣＨに対応する実際の送信電力を決定するステップと、
任意のタイムスロット内で送信される前記ＰＵＳＣＨ又は前記第１タイプのＰＵＣＣＨの状況に基づいて前記任意のタイムスロットでの最大送信電力又はＰＵＳＣＨの最大送信電力を決定するステップと、
任意のタイムスロット内で送信される前記ＰＵＳＣＨ及び前記第２タイプのＰＵＣＣＨの状況に基づいて前記任意のタイムスロットでの前記最大送信電力又は前記ＰＵＳＣＨの最大送信電力を決定するステップと、
前記ＰＨＲタイプ２として決定される前記ＰＨＲのタイプに基づき、そして前記任意のタイムスロットでのＰＵＳＣＨの実際の送信電力、前記任意のタイムスロットでの第１タイプのＰＵＣＣＨ又は第２タイプのＰＵＳＣＨに対応する実際の送信電力、前記任意のタイムスロットでの最大送信電力又は前記ＰＵＳＣＨの最大送信電力の組合せで前記対応する電力ヘッドルームを決定するステップと、
を有することを特徴とする請求項４又は請求項５に記載の方法。
【請求項８】
任意のタイムスロット内で送信される前記ＰＵＳＣＨ及び前記第１タイプのＰＵＣＣＨの状況に基づいて前記任意のタイムスロットでの前記最大送信電力又は前記ＰＵＳＣＨの最大送信電力を決定するステップは、
前記ＰＵＳＣＨ及び前記第１タイプのＰＵＣＣＨが任意のタイムスロット内で同時に送信される場合、あるいは前記ＰＵＳＣＨのみが任意のタイムスロット内で送信される場合、あるいは前記第１タイプのＰＵＣＣＨのみが任意のタイムスロット内で送信される場合、前記任意のタイムスロットでの前記最大送信電力を決定するステップと、
前記任意のタイムスロット内で前記ＰＵＳＣＨおよび前記第１タイプのＰＵＣＣＨのいずれも送信されない場合、ＭＰＲ＝０、Ａ-ＭＰＲ＝０、Ｐ-ＭＰＲ＝０、ΔＴＣ＝０である場合、前記任意のタイムスロットでのＰＵＳＣＨの最大送信電力を決定するステップと、
を有することを特徴とする請求項７に記載の方法。
【請求項９】
前記任意のタイムスロット内で送信される前記ＰＵＳＣＨ及び前記第２タイプのＰＵＣＣＨの状況に基づいて前記任意のタイムスロットでの最大送信電力又は前記ＰＵＳＣＨの最大送信電力を決定するステップは、
前記ＰＵＳＣＨ及び前記第２タイプのＰＵＣＣＨが任意のタイムスロット内で同時に送信される場合、あるいは前記ＰＵＳＣＨのみが任意のタイムスロット内で送信される場合、あるいは任意のタイムスロット内で前記第２タイプのＰＵＣＣＨのみが送信される場合、前記任意のタイムスロット内での前記最大送信電力を決定するステップと、
ＰＵＳＣＨおよび第２タイプのＰＵＣＣＨのいずれも送信されない場合、ＭＰＲ＝０、Ａ-ＭＰＲ＝０、Ｐ-ＭＰＲ＝０、ΔＴＣ＝０である場合、前記任意のタイムスロットでの前記ＰＵＳＣＨの最大送信電力を決定するステップと、
を有することを特徴とする請求項７に記載の方法。
【請求項１０】
前記ＰＨＲのタイプに基づいて対応する電力ヘッドルームを決定するステップは、
前記送信される第１タイプのＰＵＣＣＨに関して、前記送信されるＰＵＣＣＨのタイプとそれに対応する所定の予約電力に対する制限電力条件に基づいて、任意のタイムスロットでの最大送信電力を前記任意のタイムスロットでの対応する制限電力のない最大送信電力として修正するステップと、
前記任意のタイムスロットでのＰＵＳＣＨの実際の送信電力と前記任意のタイムスロットでの対応する制限電力のない最大送信電力に基づいて、前記送信される第１タイプのＰＵＣＣＨに対する前記ＰＨＲタイプ１の電力ヘッドルームと前記ＰＨＲタイプ２の電力ヘッドルームを決定するステップと、
を有することを特徴とする請求項３に記載の方法。
【請求項１１】
前記ＰＨＲのタイプに基づいて前記対応する電力ヘッドルームを決定するステップは、
前記送信される第２タイプのＰＵＣＣＨに関して、前記送信されるＰＵＣＣＨのタイプとそれに対する対応する制限電力条件に基づいて、前記任意のタイムスロットでの最大送信電力を前記任意のタイムスロットでの対応する制限電力のない最大送信電力と前記任意のタイムスロットでの所定の予約電力との間の最大値として修正するステップと、
前記任意のタイムスロットでのＰＵＳＣＨの実際の送信電力、前記任意のタイムスロットでの対応するタイプＰＵＣＣＨの実際の送信電力、及び前記任意のタイムスロットでの前記対応する制限電力のない最大送信電力と所定の予約電力との間の最大値に基づいて、前記送信される第２タイプのＰＵＣＣＨに対するＰＨＲタイプ１の電力ヘッドルームと前記ＰＨＲタイプ２の電力ヘッドルームを決定するステップと、
を有することを特徴とする請求項３に記載の方法。
【請求項１２】
前記送信される第２タイプのＰＵＣＣＨに関して、前記送信されるＰＵＣＣＨのタイプとそれに対応する制限電力条件に基づいて、前記任意のタイムスロットでの最大送信電力を前記任意のタイムスロットでの対応する制限電力のない最大送信電力と前記任意のタイムスロットでの所定予約電力との間の最大値として修正するステップは、
前記対応する制限電力条件が、電力が制限されているとき、前記送信される第１タイプのＰＵＣＣＨの電力が優先順位を有し、その間に前記送信される第２タイプのＰＵＣＣＨの予約電力が設定されないということである場合、前記任意のタイムスロットでの最大送信電力を前記任意のタイムスロットでの最大送信電力と優先順位を有する前記送信される第１タイプのＰＵＣＣＨの電力との間の差値として修正するステップと、
前記対応する制限条件が、前記電力が制限されているとき、前記送信される第１タイプのＰＵＣＣＨの電力が優先順位を有し、その間に前記送信される第２タイプのＰＵＣＣＨの予約電力が設定されないということである場合、前記任意のタイムスロットでの最大送信電力を前記任意のタイムスロットでの最大送信電力と前記優先順位を有する前記送信される第１タイプのＰＵＣＣＨの電力との間の差値と、前記送信される第２タイプのＰＵＣＣＨの予約電力との間の最大値として修正するステップと、
を有することを特徴とする請求項１１に記載の方法。
【請求項１３】
前記ＰＨＲのタイプが前記第２タイプのＰＵＣＣＨに対するＰＨＲタイプ１として決定される場合に前記ＰＨＲのタイプに基づいて前記対応する電力ヘッドルームを決定するステップは、
前記任意のタイムスロットで送信される第２タイプのＰＵＣＣＨのみの状況に基づいて前記任意のタイムスロットでの前記第２タイプのＰＵＣＣＨの最大送信電力を決定するステップと、
前記任意のタイムスロットで送信される第２タイプのＰＵＣＣＨのみの状況に基づいて前記任意のタイムスロットでの前記第２タイプのＰＵＣＣＨの実際の送信電力を決定するステップと、
前記ＰＨＲの決定されたタイプが前記第２タイプのＰＵＣＣＨに対するＰＨＲタイプ１であることに基づき、そして前記任意のタイムスロットで前記第２タイプのＰＵＣＣＨの前記最大送信電力と、前記任意のタイムスロットでの前記第２タイプのＰＵＣＣＨの前記実際の送信電力の組合せで、前記第２タイプのＰＵＣＣＨに対するＰＨＲタイプ１の電力ヘッドルームを決定するステップと、
を有することを特徴とする請求項４又は請求項５に記載の方法。
【請求項１４】
前記ＰＨＲの決定されたタイプが前記第２タイプのＰＵＣＣＨに対するＰＨＲタイプ２である場合に、前記ＰＨＲのタイプに基づいて前記対応する電力ヘッドルームを決定するステップは、
前記送信される第１タイプのＰＵＣＣＨと前記第２タイプのＰＵＣＣＨの状況で前記任意のタイムスロットでの前記第２タイプのＰＵＣＣＨの最大送信電力を決定するステップと、
前記任意のタイムスロットでの前記第２タイプのＰＵＣＣＨの最大送信電力、前記送信されるＰＵＣＣＨのタイプ、及びそれに対応する制限電力条件に基づいて前記任意のタイムスロットでの前記対応する制限電力のない前記第２タイプのＰＵＣＣＨの最大送信電力の最大値を決定するステップと、
前記送信される第２タイプのＰＵＣＣＨの状況に基づいて前記任意のタイムスロットでの前記第２タイプのＰＵＣＣＨの実際の送信電力を決定するステップと、
前記第２のＰＵＣＣＨに対するＰＨＲタイプ２である前記ＰＨＲの決定されたタイプに基づき、そして前記任意のタイムスロットで前記対応する制限電力のない前記第２タイプのＰＵＣＣＨの前記最大送信電力の最大値と前記任意のタイムスロットでの前記第２タイプのＰＵＣＣＨの実際の送信電力の組合せで、前記第２タイプのＰＵＣＣＨに対する前記ＰＨＲタイプ２の電力ヘッドルームを決定するステップと、
を有することを特徴とする請求項４又は請求項５に記載の方法。
【請求項１５】
電力ヘッドルーム報告(ＰＨＲ)を報告するデバイスであって、
送信されるＰＵＣＣＨのタイプに基づいて前記ＰＨＲのタイプを決定し、前記ＰＨＲのタイプに基づいて対応するＰＨＲを決定し、前記ＰＨＲを報告するように構成されるプロセッサを含むことを特徴とするデバイス。
【請求項１６】
前記ＰＵＣＣＨのタイプは、第１タイプのＰＵＣＣＨ及び第２タイプのＰＵＣＣＨに分類され、
前記第１タイプのＰＵＣＣＨは、少なくとも一つのタイムスロット内の少なくとも一つの直交周波数分割多重化（ＯＦＤＭ）シンボル内に位置し、占有されるＯＦＤＭシンボルの個数は所定個数よりも多く、
前記第２タイプのＰＵＣＣＨは、少なくとも一つのタイムスロット内の少なくとも一つのＯＦＤＭシンボル内に位置し、前記占有されるＯＦＤＭシンボルの個数は、前記所定個数よりも少ないか又は等しいことを特徴とする請求項１５に記載のデバイス。
【請求項１７】
前記ＰＨＲのタイプは、ＰＨＲタイプ１、ＰＨＲタイプ２、前記第２タイプのＰＵＣＣＨに対するＰＨＲタイプ１又は前記第２タイプのＰＵＣＣＨに対するＰＨＲタイプ２のうち少なくとも一つを含むことを特徴とする請求項１６に記載のデバイス。
【請求項１８】
前記プロセッサは、
前記ＰＵＳＣＨ及び前記第１タイプのＰＵＣＣＨが任意のタイムスロット内で同時に送信されるように構成される場合、前記ＰＨＲのタイプは、
前記ＰＨＲタイプ１及び前記ＰＨＲタイプ２、
前記ＰＨＲタイプ１及び前記第２タイプのＰＵＣＣＨに対するＰＨＲタイプ１、又は
前記ＰＨＲタイプ１及び前記第２タイプのＰＵＣＣＨに対するＰＨＲタイプ２のうち少なくとも一つの組合せを含むと決定し、
前記ＰＵＳＣＨ及び前記第２タイプのＰＵＣＣＨが任意のタイムスロットで同時に送信されるように構成される場合、前記ＰＨＲのタイプは、
前記ＰＨＲタイプ１及び前記ＰＨＲタイプ２、
前記ＰＨＲタイプ１及び前記第２タイプのＰＵＣＣＨに対するＰＨＲタイプ１、又は
前記ＰＨＲタイプ１及び前記第２タイプのＰＵＣＣＨに対するＰＨＲタイプ２のうち少なくとも一つの組合せを含むと決定することを特徴とする請求項１７に記載のデバイス。
【請求項１９】
前記プロセッサは、
前記ＰＵＳＣＨと前記第１タイプのＰＵＣＣＨが任意のタイムスロット内で同時に送信され、前記送信されるＰＵＣＣＨのタイプが前記第１タイプのＰＵＣＣＨであり、前記送信される第１タイプのＰＵＣＣＨ及び送信されるＰＵＳＣＨが周波数分割多重化を用いて送信されるように構成されない場合、前記ＰＨＲのタイプを前記ＰＨＲタイプ１として決定することを特徴とする請求項１７に記載のデバイス。
【請求項２０】
前記プロセッサは、
任意のタイムスロット内で送信される前記ＰＵＳＣＨの状況に基づいて前記任意のタイムスロットでのＰＵＳＣＨの実際の送信電力を決定し、
任意のタイムスロット内で送信される前記ＰＵＳＣＨ及びＰＵＣＣＨの状況に基づいて前記任意のタイムスロットでのＰＵＳＣＨの最大送信電力を決定し、
前記ＰＨＲタイプ１である前記ＰＨＲの決定されたタイプに基づいて、そして前記任意のタイムスロットでのＰＵＳＣＨの実際の送信電力及び前記任意のタイムスロットでＰＵＳＣＨの最大送信電力との組合せで前記対応する電力ヘッドルームを決定することを特徴とする請求項１８又は請求項１９に記載のデバイス。
【国際調査報告】
2020505832.tif 000075
2020505832.tif 000076
2020505832.tif 000077